(57)【要約】【課題】  近距離通信に基づいて機器間でコンテンツをシームレス再生することができるコンテンツ再生方法及びそのシステム、並びに記録媒体を提供する。【解決手段】  コンテンツが再生されている間、電子機器を制御するように構成された遠隔制御機との近距離通信が発生するとき、再生されているコンテンツを再生するために、電子機器によって必要とされるデータを生成して遠隔制御機に伝送する携帯端末と、携帯端末との近距離通信発生によって携帯端末からデータを受信し、受信されたデータを、電子機器に伝送する遠隔制御機と、遠隔制御機から受信されたデータに基づいて、コンテンツ・プロバイダからコンテンツを受信して再生する電子機器と、を含むコンテンツシステムである。【選択図】      図１Ａ
2013218690.tif 000002
【特許請求の範囲】
【請求項１】
コンテンツを再生する段階と、
電子機器を制御するために構成された遠隔制御機との近距離通信発生を感知する段階と、
前記コンテンツを再生するために、前記電子機器によって必要とされるデータを生成する段階と、
前記生成されたデータを、前記遠隔制御機に伝送する段階と、を含む携帯端末を使用して実行することができるコンテンツ再生方法。
【請求項２】
前記コンテンツを再生するために、前記電子機器によって必要とされるデータは、前記コンテンツのシームレス再生を行うために、前記電子機器によって必要とされるデータを含むことを特徴とする請求項１に記載の携帯端末を使用して実行することができるコンテンツ再生方法。
【請求項３】
前記生成されたデータは、コンテンツ・プロバイダについての情報、前記携帯端末についての情報、前記携帯端末に係わるユーザ情報、前記コンテンツに係わるメタデータ、及び前記近距離通信発生を感知した時間に対応する前記コンテンツの再生時間についての情報のうち少なくとも一つを含むことを特徴とする請求項１に記載の携帯端末を使用して実行することができるコンテンツ再生方法。
【請求項４】
前記方法は、
前記生成されたデータを、前記遠隔制御機に伝送した後、前記電子機器と前記遠隔制御機とのうち少なくとも一つから、コンテンツ伝送要請信号と、前記電子機器についての情報とを受信する段階と、
前記電子機器に係わる前記受信された情報を利用して、前記コンテンツを前記電子機器に伝送する段階と、をさらに含むことを特徴とする請求項１に記載の携帯端末を使用して実行することができるコンテンツ再生方法。
【請求項５】
前記方法は、
前記電子機器から再生完了案内メッセージを受信する段階と、
前記受信された再生完了案内メッセージを、前記携帯端末上にディスプレイする段階と、をさらに含むことを特徴とする請求項４に記載の携帯端末を使用して実行することができるコンテンツ再生方法。
【請求項６】
携帯端末と近距離通信の発生を感知する段階と、
前記携帯端末から、前記携帯端末によって再生されているコンテンツを再生するために、電子機器によって必要とされるデータを受信する段階と、
前記受信されたデータを、前記電子機器に伝送する段階と、を含む電子機器を制御するように構成された遠隔制御機を使用して実行することができるコンテンツ再生方法。
【請求項７】
前記コンテンツを再生するために、前記電子機器によって必要とされるデータは、前記コンテンツのシームレス再生を行うために、前記電子機器によって必要とされるデータを含むことを特徴とする請求項６に記載の電子機器を制御するように構成された遠隔制御機を使用して実行することができるコンテンツ再生方法。
【請求項８】
前記方法は、
前記近距離通信発生を感知した後、電源オン要請信号を、前記電子機器に伝送する段階をさらに含むことを特徴とする請求項６に記載の電子機器を制御するように構成された遠隔制御機を使用して実行することができるコンテンツ再生方法。
【請求項９】
近距離通信を遂行する近距離通信部と、
再生されているコンテンツを含む映像をディスプレイし、ユーザ入力情報を受信するタッチスクリーンと、
前記タッチスクリーンに基づいたユーザ・インターフェースを提供し、前記コンテンツ再生を制御し、前記近距離通信部を介して電子機器を制御するように構成された遠隔制御機との近距離通信発生を感知し、前記再生されているコンテンツを再生するために、前記電子機器によって必要とされるデータを生成し、前記生成されたデータを、前記近距離通信部を介して、前記遠隔制御機に伝送するプロセッサと、を含む携帯端末。
【請求項１０】
前記コンテンツを再生するために、前記電子機器によって必要とされるデータは、前記コンテンツのシームレス再生を行うために、前記電子機器を使用することができるように、前記電子機器によって必要とされるデータを含むことを特徴とする請求項９に記載の携帯端末。
【請求項１１】
携帯端末と近距離通信を遂行する近距離通信部と、
電子機器と無線通信を行う無線通信部と、
ユーザ情報を受信するユーザ入力部と、
前記近距離通信部を介して、前記携帯端末との近距離通信発生を感知し、前記近距離通信部を介して、前記携帯端末からデータを受信し、前記データは、前記携帯端末によって再生されているコンテンツを再生するために、前記電子機器によって必要とされるデータであり、前記受信されたデータを、前記通信部を介して、前記電子機器に伝送するプロセッサと、を含む電子機器を制御するように構成された遠隔制御機。
【請求項１２】
前記プロセッサは、前記近距離通信部を介して、前記近距離通信発生を感知した後、電源オン要請信号を、無線通信部を介して、前記電子機器に伝送することを特徴とする請求項１１に記載の電子機器を制御するように構成された遠隔制御機。
【請求項１３】
コンテンツが再生されている間、電子機器を制御するように構成された遠隔制御機との近距離通信が発生すれば、前記コンテンツを再生するために、前記電子機器によって必要とされるデータを生成し、前記生成されたデータを、前記遠隔制御機に伝送する携帯端末と、
前記携帯端末との前記近距離通信の発生に基づいて、前記携帯端末から前記送信されたデータを受信し、前記受信されたデータを、前記電子機器に伝送する遠隔制御機と、
前記遠隔制御機から受信されたデータに基づいて、コンテンツ・プロバイダから、前記コンテンツを受信し、前記受信されたコンテンツを再生する電子機器と、を含むコンテンツ再生システム。
【請求項１４】
請求項１ないし５のうち、いずれか一項に記載のコンテンツ再生方法を遂行させる命令語を含む一つ以上のプログラムが記録されたコンピュータで読み取り可能な記録媒体。
【請求項１５】
請求項６ないし８のうち、いずれか一項に記載のコンテンツ再生方法を遂行させる命令語を含む一つ以上のプログラムが記録されたコンピュータで読み取り可能な記録媒体。
【発明の詳細な説明】
【技術分野】
【０００１】
本発明は、コンテンツ再生に係り、特に、機器間でコンテンツをシームレス（seamless）再生するコンテンツ再生方法及びそのシステムに関する。
【背景技術】
【０００２】
スマートフォン、ハンドヘルドＰＣ（hand-held  personal  computer）、タブレット（tablet）ＰＣ、スマートＴＶ（television）のような機器の機能がだんだんと多様化している。それにより、同一のコンテンツを、互いに異なる機器を使用して再生することが可能になっている。
【０００３】
例えば、スマートＴＶで視聴中である放送コンテンツを、スマートフォンで視聴することができる。また、スマートフォンで実行しているゲームアプリケーション（game  application）をスマートＴＶで実行することができる。また、スマートフォンで再生されている音源をスマートＴＶで再生することができる。これによって、機器間でシームレス再生したり出力する機能が要求されている。
【発明の概要】
【発明が解決しようとする課題】
【０００４】
本発明が解決しようとする課題は、互いに異なる機器間でコンテンツをシームレス再生することができるコンテンツ再生方法及びそのシステム、並びに記録媒体を提供するところにある。
【０００５】
本発明が解決しようとする他の課題は、互いに異なる機器間でコンテンツを再生するために必要な情報を共有し、機器間でコンテンツをシームレス再生することができるコンテンツ再生方法及びそのシステム、並びに記録媒体を提供するところにある。
【０００６】
本発明が解決しようとするさらに他の課題は、ＮＦＣ（near  field  communication）接触（contact）を基に、互いに異なる機器間でコンテンツをシームレス再生することができるコンテンツ再生方法及びそのシステム、並びに記録媒体を提供するところにある。
【０００７】
本発明が解決しようとするさらに他の課題は、互いに異なる機器間で情報をシームレスに出力することができる情報出力方法及びそのシステム、並びに記録媒体を提供するところにある。
【課題を解決するための手段】
【０００８】
前記課題を達成するための本発明の一実施形態による、携帯端末を使用して実行することができるコンテンツ再生方法は、コンテンツを再生する段階と、電子機器を制御するように構成された遠隔制御機との近距離通信発生を感知する段階と、前記コンテンツを再生するために、前記電子機器によって必要とされるデータを生成する段階と、前記生成されたデータを前記遠隔制御機に伝送する段階と、を含むことが望ましい。
【０００９】
前記近距離通信は、少なくとも１つのＮＦＣ（near  field  communication）規格基盤とすることが望ましい。
【００１０】
前記課題を達成するための本発明の一実施形態による、電子機器を制御するように構成された遠隔制御機を使用して実行することができるコンテンツ再生方法は、携帯端末との近距離通信発生を感知する段階と、前記携帯端末によって再生されているコンテンツを再生するために、電子機器によって必要とされるデータを、前記携帯端末から受信する段階と、前記受信されたデータを、前記電子機器に伝送する段階と、を含むことが望ましい。
【００１１】
前記課題を達成するための本発明の一実施形態による携帯端末は、近距離通信を遂行する近距離通信部と、再生されているコンテンツの映像をディスプレイし、ユーザ入力情報を受信するタッチスクリーンと、前記タッチスクリーンに基づいたユーザ・インターフェースを提供し、前記コンテンツ再生を制御し、前記近距離通信部を介して電子機器を制御するように構成された遠隔制御機との近距離通信発生を感知し、前記再生されているコンテンツを再生するために、前記電子機器によって必要とされるデータを生成し、前記近距離通信部を介して、前記生成されたデータを、前記遠隔制御機に伝送するプロセッサと、を含むことが望ましい。
【００１２】
前記課題を達成するための本発明の他の実施形態による携帯端末は、近距離通信を遂行する近距離通信部と、再生されているコンテンツの映像をディスプレイし、ユーザ入力情報を受信するタッチスクリーンと、前記タッチスクリーンに基づいたユーザ・インターフェースを提供する少なくとも１つのプロセッサと、前記プロセッサによって実行可能になるように構成された少なくとも１つのプログラムを保存する保存部と、を含み、前記プログラムは、前記コンテンツを再生し、前記近距離通信部を介して電子機器を制御するように構成された遠隔制御機との近距離通信発生を感知し、前記近距離通信発生感知に基づいて、前記コンテンツを再生するために、前記電子機器によって必要とされるデータを生成し、前記生成されたデータを、前記遠隔制御機に伝送する命令語を含むことが望ましい。
【００１３】
前記課題を達成するための本発明の一実施形態による、電子機器を制御するように構成された遠隔制御機は、携帯端末と近距離通信を遂行する近距離通信部と、電子機器と無線通信を遂行する無線通信部と、ユーザ情報を入力するユーザ情報入力部と、前記近距離通信部を介して、前記携帯端末との近距離通信発生を感知し、前記近距離通信部を介して、前記携帯端末からデータを受信し、前記データは、前記携帯端末によって再生されているコンテンツを再生するために、前記電子機器によって必要とされるデータであり、前記受信されたデータを、前記近距離通信部を介して、前記電子機器に伝送するプロセッサと、を含むことが望ましい。
【００１４】
前記課題を達成するための本発明の一実施形態による再生システムは、コンテンツが再生されている間に、電子機器を制御するように構成された遠隔制御機との近距離通信が発生することにより、前記コンテンツを再生するために、前記電子機器によって必要とされるデータを生成し、前記生成されたデータを、前記遠隔制御機に伝送する携帯端末と、前記携帯端末との近距離通信の発生に基づいて、携帯端末から前記データを受信し、前記受信されたデータを、前記電子機器に伝送する遠隔制御機と、前記遠隔制御機から受信されたデータに基づいて、コンテンツ・プロバイダから前記コンテンツを受信して再生する電子機器と、を含むことが望ましい。
【００１５】
前記課題を達成するための本発明の他の実施形態による、携帯端末によって実行されるコンテンツ再生方法は、電子機器を制御するように構成された遠隔制御機との近距離通信発生を感知する段階と、前記電子機器によって再生されているコンテンツを再生するために、携帯端末によって必要とされるデータを、前記遠隔制御機及び電子機器のうち少なくとも一つから受信する段階と、前記受信されたデータに基づいて、コンテンツ・プロバイダから、前記コンテンツを受信する段階と、前記受信されたコンテンツを再生する段階と、を含むことが望ましい。
【００１６】
前記課題を達成するための本発明の他の実施形態による、電子機器を制御するように構成された遠隔制御機によって実行されるコンテンツ再生方法は、携帯端末との近距離通信発生を感知する段階と、前記電子機器によって再生されているコンテンツを再生するために、前記携帯端末によって必要とされるデータを、前記電子機器から受信する段階と、前記受信されたデータを、前記携帯端末に伝送する段階と、を含むことが望ましい。
【００１７】
前記課題を達成するための本発明の他の実施形態による、電子機器によって実行されることができるコンテンツ再生方法は、コンテンツを再生する段階と、前記電子機器を制御するように構成された遠隔制御機と携帯端末とのうち少なくとも一つから、前記コンテンツを再生するために、前記携帯端末によって必要とされるデータについてのデータ伝送要請信号を受信する段階と、前記コンテンツを再生するために、前記携帯端末によって必要とされるデータを生成する段階と、前記生成されたデータを、前記遠隔制御機と携帯端末とのうち少なくとも一つに伝送する段階と、を含み、前記データ伝送要請信号は、前記遠隔制御機と前記携帯端末との近距離通信発生に基づいて受信されることが望ましい。
【００１８】
前記課題を達成するための本発明の実施形態による、携帯端末によって実行されるコンテンツ再生方法を実行する命令語を含む一つ以上のプログラムが記録されたコンピュータで読み取り可能な記録媒体において、前記携帯端末によって実行されるコンテンツ再生方法は、前述の携帯端末によって実行されるコンテンツ再生方法のように遂行される。
【００１９】
前記課題を達成するための本発明の実施形態による、電子機器を制御するように構成された遠隔制御機によって実行されるコンテンツ再生方法を実行する命令語を含む一つ以上のプログラムが記録されたコンピュータで読み取り可能な記録媒体において、前記遠隔制御機によって実行されるコンテンツ再生方法は、前述の遠隔制御機によって実行されるコンテンツ再生方法のように遂行される。
【００２０】
前記課題を達成するための本発明の実施形態による、電子機器によって実行されるコンテンツ再生方法を実行する命令語を含む一つ以上のプログラムが記録されたコンピュータで読み取り可能な記録媒体において、前記電子機器によって実行されるコンテンツ再生方法は、前述の電子機器によって実行されるコンテンツ再生方法のように遂行される。
【００２１】
前記課題を達成するための本発明の他の実施形態による、電子機器によって実行される情報出力方法は、外部機器と、前記電子機器を制御するように構成された遠隔制御機との近距離通信が発生することにより、前記外部機器と前記電子機器との間に通信チャネルを設定する段階と、前記外部機器についての情報を利用して、前記外部機器に係わるアプリケーションを実行する段階と、前記アプリケーション実行によって、前記外部機器と前記遠隔制御機とのうちいずれか一つから受信される情報を出力する段階と、を含むことが望ましい。
【００２２】
前記外部機器についての情報は、前記外部機器に係わるアプリケーションを実行するために必要な情報を含む。例えば、外部機器についての情報は、外部機器の識別情報、及び外部機器に係わるアプリケーションの識別情報を含んでもよい。
【００２３】
前記受信される情報を出力する段階は、前記電子機器による情報要請信号を、前記外部機器に伝送することによって遂行されることが望ましい。
【００２４】
前記外部機器に係わるアプリケーションを実行する段階は、前記外部機器に係わるアプリケーションが複数個である場合に、前記電子機器のユーザによる選択によって決定されたアプリケーションを実行する段階を含むことが望ましい。
【図面の簡単な説明】
【００２５】
【図１Ａ】本発明の望ましい実施形態によるコンテンツ再生システムの構成図である。
【図１Ｂ】図１Ａに図示されたコンテンツ再生システムの例である。
【図２】図１Ａに図示された本発明の望ましい実施形態による携帯端末の機能ブロック図である。
【図３】図１Ａに図示された本発明の望ましい実施形態による遠隔制御機の機能ブロック図である。
【図４】図１Ａに図示された本発明の望ましい実施形態による電子機器の機能ブロック図である。
【図５】本発明の望ましい一実施形態による、携帯端末によって実行されるコンテンツ再生方法のフローチャートである。
【図６】本発明の望ましい他の実施形態による、携帯端末によって実行されるコンテンツ再生方法のフローチャートである。
【図７】本発明の望ましいさらに他の実施形態による、携帯端末によって実行されるコンテンツ再生方法のフローチャートである。
【図８】本発明の望ましい一実施形態による、遠隔制御機によって実行されるコンテンツ再生方法のフローチャートである。
【図９】本発明の望ましい他の実施形態による、遠隔制御機によって実行されるコンテンツ再生方法のフローチャートである。
【図１０】本発明の望ましい一実施形態による、電子機器によって実行されるコンテンツ再生方法のフローチャートである。
【図１１】本発明の望ましい他の実施形態による、電子機器によって実行されるコンテンツ再生方法のフローチャートである。
【図１２】本発明の望ましいさらに他の実施形態による、電子機器によって実行されるコンテンツ再生方法のフローチャートである。
【図１３】本発明の望ましい一実施形態による、携帯端末・遠隔制御機及び電子機器間の動作フローチャートである。
【図１４】本発明の望ましい他の実施形態による、携帯端末・遠隔制御機及び電子機器間の動作フローチャートである。
【図１５】本発明の望ましいさらに他の実施形態による、携帯端末・遠隔制御機・電子機器及びサーバ間の動作フローチャートである。
【図１６Ａ】本発明の望ましいさらに他の実施形態による、携帯端末によって実行されるコンテンツ再生方法のフローチャートである。
【図１６Ｂ】図１６Ａのコンテンツ・プロバイダからコンテンツを受信する過程に係わる詳細なフローチャートである。
【図１７】本発明の望ましいさらに他の実施形態による、遠隔制御機によって実行されるコンテンツ再生方法のフローチャートである。
【図１８】図１７の電子機器からデータを受信する過程に係わる詳細なフローチャートである。
【図１９】本発明の望ましいさらに他の実施形態による、電子機器によって実行されるコンテンツ再生方法のフローチャートである。
【図２０】本発明の望ましいさらに他の実施形態による、携帯端末・遠隔制御機及び電子機器間の動作フローチャートである。
【図２１】本発明の望ましいさらに他の実施形態による、携帯端末・遠隔制御機・電子機器及びサーバ間の動作フローチャートである。
【図２２】本発明の望ましいさらに他の実施形態による携帯端末・遠隔制御機及び電子機器間の動作フローチャートである。
【図２３】本発明の望ましいさらに他の実施形態によるコンテンツ再生方法のフローチャートである。
【図２４】本発明の望ましいさらに他の実施形態による情報出力方法のフローチャートである。
【発明を実施するための形態】
【００２６】
本発明は、多様な変換を加えることができ、さまざまな実施形態を有することができ、特定実施形態を図面に例示し、詳細な説明でもって詳細に説明する。しかし、それは、本発明を特定の実施形態について限定しようとするものではなく、本発明の思想及び技術範囲に含まれる全ての変換、均等物ないし代替物を含むと理解されなければならない。本発明について説明するにあたって、関連公知技術に係わる具体的な説明が、本発明の要旨を不明確にすると判断される場合、その詳細な説明を省略する。
【００２７】
第１、第２のような用語は、多様な構成要素について説明するのに使用されるが、構成要素は、用語によって限定されるものではない。用語は、１つの構成要素を他の構成要素から区別する目的にのみ使用される。
【００２８】
本出願で使用した用語は、ただ特定の実施形態について説明するために使用されたものであり、本発明を限定しようとする意図ではない。本出願で使用した用語は、本発明での機能を考慮しながら、できる限り現在広く使用される一般的な用語を選択したが、それは当業者の意図、判例または新たな技術の出現などによって異なることがある。また、特定の場合は、出願人が任意に選定した用語もあり、その場合、当該発明の説明部分で、詳細にその意味を記載する。従って、本発明で使用される用語は、単純な用語の名称ではない、その用語が有する意味と、本発明の全般にわたった内容とを基に定義されなければならない。
【００２９】
単数の表現は、文脈上明白に単数であるとしない限り、複数の表現を含む。本出願で、「含む」または「有する」などの用語は、明細書上に記載された特徴、数字、段階、動作、構成要素、部品、またはそれらを組み合わせたものが存在するということを指定しようとするものであり、一つまたはそれ以上の他の特徴や数字、段階、動作、構成要素、部品またはそれらの組み合わせなどの存在または付加の可能性をあらかじめ排除するものではないと理解されなければならない。
【００３０】
明細書全般で言及されるコンテンツ（contents）という用語は、動画、写真、音源、ファイル、放送コンテンツ、テキスト及び／または任意の他の適切な形態のコンテンツを含んでもよい。また、コンテンツは、例えば、モバイルメッセンジャ、インターネット電話、ツイッタ、ブログなどのソーシャルネットワーク・サービス基盤のコンテンツ、オンライン・ショッピングサイト基盤のコンテンツ、appcessoryのような通信可能な外部機器によって出力される情報、及びアプリケーション基盤のコンテンツを含むが、それらに制限されるものではない。
【００３１】
オンライン・ショッピングサイト基盤のコンテンツは、例えば、ショッピングアイテムについての情報、販売者についての情報、ユーザコメント情報、及び決済情報を含んでもよいが、それらに制限されるものではない。外部機器によって出力される情報は、外部機器によって提供される機能によって決定される。例えば、外部機器が万歩計（登録商標）であるとき、外部機器によって出力されることができる情報は、例えば、距離情報、速度情報、及びユーザ別利用ヒストリー情報を含むが、それらに制限されるものではない。外部機器によって出力される情報は、外部機器に保存された情報を含んでもよい。アプリケーション基盤のコンテンツは、ゲームアプリケーション基盤のコンテンツを含んでもよいが、それに制限されるものではない。
【００３２】
Appcessoryは、アプリケーションを基に動作されるハードウェア及びソフトウェアを含むデバイスであり、周辺機器またはアクセサリーデバイスと呼ばれる。明細書全般で言及されるコンテンツに係わるシームレス再生（seamless  playback）は、まるで１つの機器によってコンテンツが再生されるように、互いに異なる機器を利用して、連続してコンテンツを再生することを意味する。前述のコンテンツに係わるシームレス再生は、互いに異なる機器を利用して、同一であるか、あるいは類似した再生環境で、コンテンツを再生することを含んでもよい。前述の同一であるか、あるいは類似した再生環境に係わるパラメータ（parameters）は、例えば、字幕設定、イコライザ設定、音量設定、解像度、及び／または任意の他の適切な再生環境に係わるパラメータを含んでもよい。
【００３３】
例えば、第１機器によって再生されているコンテンツが１６：９の画面比（aspect  ratio）に３Ｄ（dimension）立体音響効果を有し、英語字幕が提供される映画コンテンツであるとき、第２機器によるコンテンツに係わるシームレス再生は、第１機器で再生が停止された時間に対応するコンテンツから、前述の映画コンテンツを再生することを意味する。このとき、第２機器によって再生される映画コンテンツの再生環境は、１６：９の画面比に３Ｄ立体音響効果を有さず、映画字幕が提供されないこともある。
【００３４】
前述の第１機器で、コンテンツ再生が停止された時間は、前記コンテンツに係わるシームレス再生時、第１機器によって再生されているコンテンツと、第２機器によって再生されるコンテンツとの連結関係を理解するために使用されたものである。従って、本発明は、コンテンツに係わるシームレス再生期間の間、第１機器によって再生されているコンテンツ再生が停止されなければならないということに制限されるものではない。
【００３５】
一方、第１機器で再生されているコンテンツが、１６：９の画面比に３Ｄ立体音響効果を有し、英語字幕が提供される映画コンテンツであるとき、第２機器によるコンテンツに係わるシームレス再生は、第１機器で、映画コンテンツ再生が停止された時間に対応するコンテンツから、１６：９の画面比に３Ｄ立体音響効果を有し、英語字幕を有する映画コンテンツを再生することを意味することができる。１６：９の画面比、３Ｄ立体音響効果に係わる情報、及び字幕についての情報は、明細書全般で言及される各コンテンツに係わるメタデータに含まれる。
【００３６】
また、例えば、第１機器によって再生されているコンテンツが、Ａとチャットしているモバイル・メッセンジャであるとき、第２機器によるコンテンツに係わるシームレス再生は、前記モバイル・メッセンジャに基づいて、「Ａ」とのチャットウィンドーをオープンし、「Ａ」とメッセージを続けて取り交わすことができるのである。これによって、ユーザは、第１機器を使用してオープンしていたチャットウィンドーと同一のチャットウィンドーを、第２機器を使用してオープンし、「Ａ」とメッセージを続けて取り交わすことができる。
【００３７】
また、例えば、第１機器によって再生されているコンテンツが、ゲームアプリケーションであるとき、第２機器によるコンテンツに係わるシームレス再生は、第１機器によって実行していたゲームアプリケーションのゲームレベルから、ゲームをスタートしたり、あるいは実行したゲームコンテンツと同一のゲームコンテンツを再生することを意味する。それにより、ユーザは、第１機器を利用して実行していたゲームを、第２機器を利用して続けて実行することができる。
【００３８】
明細書全般でのユーザの入力情報は、ユーザのジェスチャ（gesture）に依存する。ユーザのジェスチャは、入力装置に基づいて定義される。特に、入力装置がタッチスクリーン基盤であるとき、ユーザのジェスチャは、例えば、タップ（tapまたはtouch）、タッチ・アンド・ホールド（touch  and  hold）、タッチ・アンド・ドラッグ、ダブルタップ（double  tap）、ドラッグ（drag）、パニング（panning）、フリック（flick）、ドラッグ・アンド・ドロップ（drag  and  drop）、スウィープ（sweep）、及び／または任意の他の適切なユーザジェスチャを含んでもよいが、それらに制限されるものではない。
【００３９】
タッチスクリーンを使用して遂行されるユーザのジェスチャは、ユーザの指またはタッチツール（例えば、stylus  pen）を利用して遂行される。入力装置がカメラ基盤であるとき、ユーザのジェスチャは、カメラを利用して撮影された映像基盤の空間ジェスチャ（space  gesture）を含んでもよい。入力装置が、物理的ボタン、ダイヤル、スライダスィッチ、ジョイ・スティック、クリックホイール、及び／または他の適切なユーザ入力を受信するための手段を含むとき、ユーザ入力情報は、入力装置に係わるユーザの物理的な制御に依存する。
【００４０】
明細書全般でのＮＦＣ（near  field  communication）接触は、ＮＦＣタギング（tagging）を含むことを意味する。
【００４１】
以下、本発明の実施形態について、添付図面を参照して詳細に説明し、添付図面を参照して説明するにおいて、同一であるか対応する構成要素は、同一の図面番号を付与し、これに係わる重複説明は省略する。
【００４２】
図１Ａは、本発明の望ましい実施形態によるコンテンツ再生システムの構成図である。図１Ａは、本発明の望ましい実施形態によるコンテンツ再生方法を遂行するためのネットワーク構成図であるということができる。図１に図示されたコンテンツ再生システムは、携帯端末１００、電子機器１２０を制御するために構成された遠隔制御機１１０、電子機器１２０及びサーバ１３０を含む。
【００４３】
本発明の望ましい実施形態によるコンテンツ再生システムは、図１Ａに図示されたところに制限されるものではない。例えば、本発明の望ましい実施形態によるコンテンツ再生システムは、各コンテンツを提供するためのサーバを複数個含んでもよい。本発明の望ましい実施形態によるコンテンツ再生システムは、携帯端末１００、遠隔制御機１１０及び電子機器１２０で構成される。携帯端末１００と電子機器１２０は、前述のコンテンツに係わるシームレス再生に係わる例で説明した第１機器及び第２機器であるということができる。
【００４４】
図１Ａに図示されたコンテンツ再生システムで、近距離通信部１０１，１１１を、ＮＦＣ通信モジュールに基づいて構成する場合、コンテンツをシームレス再生するためのユーザの意図によるＮＦＣ接触が発生することにより、コンテンツをシームレス再生する機能が遂行され、携帯端末１００と遠隔制御機１１０との間に少量のデータ伝送が可能であり、携帯端末１００と電子機器１２０との間、または携帯端末１００と遠隔制御機１１０との間のユーザ認証のための情報伝達が可能である。
【００４５】
携帯端末１００と遠隔制御機１１０との間に伝送される前述の少量のデータは、例えば、コンテンツをシームレス再生するために、携帯端末１００と遠隔制御機１１０との間に共有しなければならないデータを含んでもよいが、それに制限されるものではない。共有しなければならないデータについては後述する。
【００４６】
図１Ａに図示された携帯端末１００の一例として、スマートフォン（smart  phone）、ノート型パソコン（notebook）、タブレット（tablet）ＰＣ（personal  computer）、移動端末機（mobile  device）、ハンドヘルド（handheld）機器またはハンドヘルド・コンピュータ、メディアプレイヤ、及びＰＤＡ（personal  digital  assistant）、及び／または任意の他の適切なタイプの携帯デバイスを含んでもよい。
【００４７】
携帯端末１００は、近距離通信を遂行するために適切な近距離通信部１０１を含む。近距離通信部１０１は、例えば、ＮＦＣ基盤通信チップ、ＲＦＩＤ（radio  frequency  identification）基盤通信チップ、及びその他近距離（short  distance）通信チップのうち一つによって構成される。
【００４８】
近距離通信部１０１は、ＮＦＣ規格基盤で構成される場合、近距離通信部１１１と接触（contact）したり、あるいは既設定の距離で、近距離通信部１１１に対して物理的に近くなれば、近距離通信部１１１と情報を送受信することができるアクティブ回路を含んでもよい。このとき、近距離通信部１１１は、パッシブＮＦＣタグで構成されもするが、前述のアクティブ回路を含んでもよい。前記既設定の距離は、約０〜２０ｃｍ範囲内に設定されもするが、それに制限されるものではない。
【００４９】
近距離通信部１０１は、ＲＦＩＤ基盤で構成される場合、ＮＦＣ基盤で構成されるときより相対的に遠い距離で、近距離通信部１１１とデータ及び情報を送受信することができるアクティブ回路を含んでもよい。このとき、近距離通信部１１１は、パッシブＲＦＩＤタグで構成されもするが、前述のアクティブ回路を含んでもよい。
【００５０】
また、前記近距離通信部１０１，１１１間の接触または物理的な接近の有効性を示すユーザの意図を入力することができる物理的なボタン（図示せず）が携帯端末１００に装着されもする。これによって、近距離通信部１０１，１１１間の不要な接触、または不要な物理的な接近が発生することによる近接通信部１０１の動作を防止することができる。
【００５１】
近距離通信部１０１は、近距離通信部１１１に伝送されるデータを、近距離通信データ交換フォーマット（data  exchange  format）を有するデータに変更し、変更されたデータを近距離通信部１１１に伝送することができる。近距離通信データ交換フォーマットは、例えば、近距離通信部１０１，１１１がＮＦＣ規格基盤である場合、ＮＤＥＦ（ＮＦＣ  data  exchange  format）でもあるが、それに制限されるものではない。近距離通信部１１１にデータを伝送するとき、近距離通信部１０１は、近距離通信部１１１にデータを書き込む方式でデータを伝送することができる。
【００５２】
また、近距離通信部１０１は、近距離通信部１１１から受信した近距離通信データ交換フォーマットによるデータを、携帯端末１００によって処理することができるデータに変更することができる。携帯端末１００によって処理することができるデータは、例えば、携帯端末１００の運用体制、携帯端末１００のメーカー、携帯端末１００のモデルのうち少なくとも一つによって決定されもするが、それらに制限されるものではない。例えば、携帯端末１００がアンドロイド基盤運用体制であり、携帯端末１００のメーカーが三星電子であり、携帯端末１００のモデルがノートである場合、携帯端末１００によって処理することができるデータは、前述の条件のうち少なくとも一つによって決定される。
【００５３】
例えば、ＮＤＥＦによるデータが受信され、携帯端末１００がアンドロイド基盤運用体制を有する端末であるならば、近距離通信部１０１は、ＮＤＥＦによるデータをアンドロイド基盤運用体制で処理することができるデータに変更することができる。
【００５４】
前述のように、近距離通信部１１１からデータを受信するとき、近距離通信部１０１は、近距離通信部１１１からデータを読み取る方式でデータを受信することができる。
【００５５】
遠隔制御機１１０が、電子機器１２０と一方向（one-way）通信を遂行するように構成された場合、近距離通信部１１１は、パッシブＮＦＣタグ及びパッシブＲＦＩＤタグのうち少なくとも一つを含んでもよい。しかし、遠隔制御機１１０と電子機器１２０とが双方向（two-way）通信を遂行するように構成された場合、近距離通信部１１１は、読み取り機能または書き込み機能を遂行することができるアクティブ回路を含んでもよい。
【００５６】
特に、近距離通信部１１１がアクティブ回路を含み、近距離通信部１０１にデータを伝送するとき、近距離通信部１１１は、近距離通信部１０１にデータを書き込む方式でデータを伝送することができる。また、近距離通信部１１１がアクティブ回路を含み、近距離通信部１０１からデータを受信するとき、近距離通信部１１１は、近距離通信部１０１からデータを読み取る方式でデータを受信することができる。
【００５７】
近距離通信部１０１，１１１がＮＦＣ基盤で構成された場合、それぞれの近距離通信部１０１，１１１は、ＮＦＣインターフェースとして使用され、ＲＦＩＤ基盤で構成された場合、ＲＦＩＤインターフェースとして使用されもする。
【００５８】
遠隔制御機１１０は、電子機器１２０を制御するように構成された機器である。遠隔制御機１１０は、前述のように、電子機器１２０と一方向通信または双方向通信を遂行しながら、電子機器１２０を制御するように構成されもする。
【００５９】
電子機器１２０は、遠隔制御機１１０を利用して制御されるメディア再生機器、コンテンツ再生機器または情報出力機器である。電子機器１２０は、例えば、通信機能を有するＴＶ（television）、通信機能を有するデジタルＣＥ（consumer  electronics）機器を含む。デジタルＣＥ機器は、例えば、冷蔵庫、オーディオシステム、及び／または任意の他の適切なタイプのデジタルＣＥ機器を含む。デジタルＣＥ機器はまた、ＤＴＶ（digital  television）またはＩＰＴＶ（internet  protocol  televion）を含んでもよい。
【００６０】
サーバ１３０は、電子機器１２０及び携帯端末１００のうち少なくとも一つによって要請されたコンテンツを提供する。サーバ１３０は、クラウド（cloud）サーバ、ホームゲートウェイ（homegateway）、ウェプページ（webpage）を介して連結されたコンテンツ提供サーバ、放送コンテンツ提供サーバ、オンライン・ショッピングサイト基盤サーバ、appcessoryのような外部機器に係わるアプリケーションについての情報を提供するサーバ、及び／または任意の他の適切なタイプのサーバデバイスを含む。
【００６１】
サーバ１３０は、電子機器１２０及び携帯端末１００のいずれも、あるいはいずれか一つの要請に基づいて、コンテンツと、前記コンテンツを再生するために必要なデータとを保存することができる。サーバ１３０に保存されるコンテンツと、前記コンテンツを再生するために必要なデータは、電子機器１２０及び携帯端末１００のいずれも、またはいずれか一つから提供されるが、サーバ１３０が、他のデータベースサーバ（図示せず）から収集することができる。
【００６２】
図１Ａに図示されたコンテンツ再生システムは、携帯端末１００がコンテンツを再生しているとき、近距離通信部１０１，１１１間の近距離通信が発生することによって、電子機器１２０を使用して、前記コンテンツをシームレス再生するため、携帯端末１００と電子機器１２０との間に共有しなければならないデータを、遠隔制御機１１０を介して伝送することができる。
【００６３】
共有しなければならないデータは、例えば、携帯端末１００によって再生されているコンテンツの識別情報、コンテンツのプロバイダについての情報、前記近距離通信が発生するとき、携帯端末１００によって再生されているコンテンツの再生位置情報を含んでもよいが、それらに制限されるものではない。
【００６４】
携帯端末１００によって再生されているコンテンツの再生位置情報は、例えば、コンテンツの再生時間情報を含んでもよい。すなわち、コンテンツの全再生時間が６０分であり、前述の近距離通信が発生するとき、携帯端末１００によって、３６分２０秒の再生時間に対応するコンテンツを再生している場合、前述のコンテンツの再生位置情報は、３６分２０秒を示す時間情報を含むか、あるいは全再生時間と、前述の３６分２０秒とを示す時間情報を含むことができるような発明のコンセプト（concept）は、それに制限されるものではない。例えば、コンテンツの前記再生位置を示す情報は、フレーム識別情報を含んでもよい。また、図１Ａに図示されたコンテンツ再生システムは、電子機器１２０がコンテンツを再生しているとき、近距離通信部１０１，１１１間の近距離通信が発生することによって、携帯端末１００を使用して、前記コンテンツをシームレス再生するため、電子機器１２０と携帯端末１００との間に前述の共有しなければならないデータを、遠隔制御機１１０を介して、または電子機器１２０と携帯端末１００と直接通信によって伝送することができるような発明のコンセプトは、制限されるものではない。例えば、サーバ１３０を介して、前記携帯端末１００と電子機器１２０との間に共有しなければならないデータを伝送することができる。
【００６５】
携帯端末１００によって再生されているコンテンツを、後で携帯端末１００または電子機器１２０によってシームレス再生するため、サーバ１３０に、で前記コンテンツを再生するために必要な情報を伝送して保存することができる。携帯端末１００または電子機器１２０は、必要なとき、サーバ１３０に保存された前述の情報をダウンロードされ、コンテンツをシームレス再生するために利用することができる。
【００６６】
また、電子機器１２０によって再生されているコンテンツを、後で携帯端末１００または電子機器１２０によってシームレス再生するために、前述のように、サーバ１３０に前記コンテンツを再生するために必要な情報を伝送して保存することができる。
【００６７】
図１Ａに図示されたコンテンツ再生システムにおいて、携帯端末１００がスマートフォンであり、近距離通信部１０１，１１１がＮＦＣ基盤通信モジュールであり、電子機器１２０がＴＶである場合、図１Ａは図１Ｂのように図示されもする。
【００６８】
図１Ｂに図示されたコンテンツ再生システムは、ＮＦＣ基盤通信モジュール１５１を含むスマートフォン１５０、ＮＦＣ基盤通信モジュール１６１を含み、ＴＶ  １７０を制御するように構成されたリモコン１６０、リモコン１６０を使用して制御することができるＴＶ  １７０、及びＴＶ  １７０とスマートフォン１５０とに連結され、ＴＶ  １７０及びスマートフォン１５０それぞれの情報を提供することができるサーバ１８０を含む。
【００６９】
従って、図１Ｂに図示されたコンテンツ再生システムは、スマートフォン１５０がコンテンツを再生しているとき、スマートフォン１５０のＮＦＣ基盤通信モジュール１５１と、リモコン１６０のＮＦＣ基盤通信モジュール１６１との近距離通信（接触）が発生することによって、ＴＶ  １７０を使用して、前記コンテンツをシームレス再生するために、ＴＶ  １７０とスマートフォン１５０との間に、前述の共有しなければならないデータを遠隔制御機１１０を介して伝送することができる。
【００７０】
また、図１Ｂに図示されたコンテンツ再生システムは、ＴＶ  １７０がコンテンツを再生しているとき、スマートフォン１５０のＮＦＣ基盤通信モジュール１５１と、リモコン１６０のＮＦＣ基盤通信モジュール１６１との距離通信（接触）が発生することによって、スマートフォン１５０を使用して、前記コンテンツをシームレス再生するために、ＴＶ  １７０とスマートフォン１５０との間に前述の共有しなければならないデータを、リモコン１６０を介して伝送したり、あるいはＴＶ  １７０とスマートフォン１５０との直接通信によって伝送することができる。しかし、図１Ａで説明したところに類似して、図１Ｂに図示されたコンテンツ再生システムで、前述の共有しなければならないデータの伝送は、前述のところに制限されるものではない。
【００７１】
図２は、図１Ａに図示された携帯端末１００の機能ブロック図である。図２を参照すれば、携帯端末１００は、ユーザ入力部２０１、センサ２０２、タッチスクリーン（touch  screen）２０３、カメラ２０４、オーディオ入力部２０５、オーディオ出力部２０６、保存器２０７、通信部２０８、ポート２０９、プロセッサ２１０、電源部２１１及び近距離通信部１０１を含む。しかし、携帯端末１００の構成は、図２に図示されたところに制限されるものではない。すなわち、携帯端末１００は、図２に図示された構成要素よりさらに多くの構成要素を含むか、あるいはさらに少ない構成要素を含んでもよい。
【００７２】
ユーザ入力部２０１は、携帯端末１００の動作を制御するための入力データ（または制御データ）、または前述のユーザ入力情報を発生させる。ユーザ入力部２０１は、例えば、キーパッド（keypad）、ドームスィッチ（dome  switch）、マウスを代替することができるタッチパッド（touch  pad）、ジョグホイール（jog  wheel）、ジョグスィッチ（jog  switch）、ハードウェア（Ｈ／Ｗ）ボタンのうち少なくとも一つを含んでもよい。
【００７３】
センサ２０２は、例えば、携帯端末１００の位置、ユーザの接触有無、携帯端末１００の方位、携帯端末１００の加速または減速、及び／または携帯端末１００の現在状態に係わる任意の他の適切なパラメータのように、携帯端末１００の現在状態を感知し、携帯端末１００の動作を制御するためのセンシング信号を発生させる。センサ２０２は、近接センサを含んでもよい。
【００７４】
近接センサは、既設定の検出面に近接する物体、または近傍に存在する物体の有無を、電子系の力または赤外線を利用して、物理的な接触なしに検出するセンサをいう。近接センサの例として、透過型光電センサ、直接反射型光電センサ、ミラー反射型光電センサ、高周波発振型近接センサ、静電容量型近接センサ、磁気型近接センサ、赤外線近接センサのうち少なくとも一つ以上を含んでもよい。
【００７５】
タッチスクリーン２０３を使用して得られたユーザ入力情報は、ユーザのジェスチャで示すことができるユーザの要請（request）またはユーザの選択（selection）に基づいて発生する。ユーザのジェスチャは、タッチ回数、タッチパターン、タッチ面積及びタッチ強度の多様な組み合わせによって、前述のユーザジェスチャの例と類似して多様に定義されもする。
【００７６】
また、タッチスクリーン２０３は、タッチスクリーン２０３のタッチまたは近接タッチを感知するための多様なセンサを含んでもよい。タッチスクリーン２０３に含まれるセンサは、タッチスクリーン２０３上でのユーザのジェスチャまたはパターンを感知するセンサを含む。タッチスクリーン２０３に含まれるセンサは、タッチスクリーン２０３上での前述のユーザのジェスチャとして認識されるドラッグ、フリック、タップ、タッチ・アンド・ホールド、タッチ・アンド・ドラッグ、ダブルタップ、パニング、スウィープ（sweep）のうち少なくとも一つをセンシングした信号を発生させることができる。
【００７７】
タッチスクリーン２０３のタッチを感知するセンサの一例として、触覚センサがある。触覚センサは、例えば、接触面の粗度、接触物体の硬度、接触地点の温度などの多様な情報を感知することができる。タッチスクリーン２０３のタッチ（touch）は、パネルにポインタ（pointer）がタッチされて発生する。タッチは、マルチタッチを含んでもよい。
【００７８】
タッチスクリーン２０３の近接タッチ（proximity-touch）は、ポインタがタッチスクリーン２０３に実際にタッチされず、代わりに、タッチスクリーン２０３から所定距離内に接近した場合である。ポインタは、タッチスクリーン２０３の特定部分をタッチしたり、あるいは近接タッチするためのツールである。その一例として、スタイラスペン、指、及び／または他の適切なタイプのポインタを含んでもよい。ポインタは、外部入力装置とすることもできる。
【００７９】
タッチスクリーン２０３は、携帯端末１００によって処理される情報を出力する。例えば、タッチスクリーン２０３は、タッチスクリーン２０３に含まれたセンサによってセンシングされたユーザのジェスチャ、タッチパターン、ユーザ入力部２０１を介して入力された制御データ、ユーザの入力情報、またはセンサ２０２から提供されるセンシング信号に応答する画面をディスプレイする。
【００８０】
タッチスクリーン２０３は、入力装置及び出力装置とすることもできる。タッチスクリーン２０３が入力装置及び出力装置であるとき、タッチスクリーン２０３にディスプレイされる画面は、ＵＩ（user  interface）画面またはＧＵＩ（graphic  user  interface）画面を含む。ＵＩ画面またはＧＵＩ画面は、前もって保存器２０７に保存され、必要時に保存器２０７から読み取られてタッチスクリーン２０３にディスプレイされる。ＵＩ画面またはＧＵＩ画面は、ユーザまたは携帯端末１００のメーカーによって、保存器２０７に前もって保存されもする。タッチスクリーン２０３は、再生されているコンテンツについての情報を含む映像をディスプレイし、ユーザ入力情報を受信することができる。
【００８１】
タッチスクリーン２０３は、液晶ディスプレイ（liquid  crystal  display）、薄膜トランジスタ液晶ディスプレイ（thin  film  transistor-liquid  crystal  display）、有機発光ダイオード（organic  light-emitting  diode）、フレキシブル・ディスプレイ（flexible  display）、三次元ディスプレイ（３Ｄ  display）、ＡＭＯＬＥＤ（active-matrix  organic  light-emitting  diode）、及び／または任意の他の適切なタイプのディスプレイを含んでもよいが、それらに制限されるものではない。タッチスクリーン２０３は、ディスプレイともいわれる。携帯端末１００の具現形態によって、携帯端末１００は、２個以上のタッチスクリーンを含んでもよい。例えば、携帯端末１００が両面（前面及び背面）タッチスクリーンで構成された場合、携帯端末１００は、２個のタッチスクリーンを含む。
【００８２】
カメラ２０４は、画像通話モードまたは撮影モードで、イメージセンサによって得られる静止画像または動画などの画像フレームを処理する。そして、処理された画像フレームは、タッチスクリーン２０３に表示される。カメラ２０４によって処理された画像フレームは、保存器２０７に保存されたり、あるいは通信部２０８またはポート２０９を介して外部に伝送されもする。携帯端末１００の具現形態によって、携帯端末１００は、２個以上のカメラを含んでもよい。例えば、携帯端末１００は、前面用カメラと背面用カメラとを含む。カメラ２０４は、ユーザの空間ジェスチャを認識する入力装置として使用される。
【００８３】
オーディオ入力部２０５は、通話モード、録画モード及び音声認識モードのうち少なくとも一つで、外部の音響信号を入力され、電気的な音声データに変換してプロセッサ２１０に伝送する。オーディオ入力部２０５は、例えば、マイクロホンで構成される。オーディオ入力部２０５は、外部の音響信号を入力される過程で発生するノイズ（noise）を除去するための多様なノイズ除去アルゴリズムを含むように構成されもする。
【００８４】
オーディオ入力部２０５を利用して受信される前記音響信号は、望ましい実施形態によるコンテンツ再生方法を遂行するための自然語基盤のユーザ入力情報である。音響信号が自然語基盤のユーザ入力情報であるというのは、音声認識基盤のユーザ入力情報を意味する。オーディオ入力部２０５を介して入力された外部の音響信号は、保存器２０７に保存されたり、あるいは通信部２０８とポート２０９とのうち少なくとも一つを介して、外部に伝送される。
【００８５】
携帯端末１００とユーザとのインターフェース機能によって、ユーザ入力部２０１、センサ２０２、タッチスクリーン２０３、カメラ２０４及びオーディオ入力部２０５は、入力装置または入出力装置とすることもできる。例えば、携帯端末１００とユーザとのユーザインターフェース機能が、タッチ認識機能、音声認識機能及び空間ジェスチャ認識機能を含む場合、ユーザ入力部２０１、センサ２０２、カメラ２０４及びオーディオ入力部２０５は、入力装置とされ、タッチスクリーン２０３は、入出力装置とすることもできる。
【００８６】
オーディオ出力部２０６は、通話モード、オーディオ再生モード、及び／またはオーディオ信号を受信するのに適切な任意の他のモードで、外部から受信された音響信号及びオーディオ信号のうち少なくとも一つを出力する。オーディオ信号出力部２０６は、スピーカで構成されもする。オーディオ出力部２０６は、本発明によって、コンテンツが再生されるとき、再生されるコンテンツにオーディオ信号が含まれていれば、再生されるコンテンツに含まれているオーディオ信号を出力する。オーディオ入力部２０５と、オーディオ出力部２０６は、例えば、ヘッドセットのように一体型で構成されもする。
【００８７】
保存器２０７は、後述するプロセッサ２１０で実行可能になるように構成された少なくとも１つのプログラムと資源（resource）とを保存する。少なくとも１つのプログラムは、望ましい実施形態によるコンテンツ再生方法を実行するプログラム、携帯端末１００の運用体制（operating  system）プログラム、携帯端末１００に設定されたアプリケーション、及び携帯端末１００の各種機能（例えば、通信機能及びディスプレイ機能）を遂行するのにそれぞれ必要な一つ以上のプログラムを含んでもよいが、それらに制限されるものではない。保存器２０７に保存されたプログラムは、プロセッサ２１０にロードされて実行される。
【００８８】
保存器２０７に保存された資源は、本発明の望ましい実施形態で言及されるコンテンツのメタデータ、携帯端末１００についての情報、携帯端末１００に係わるユーザ情報、携帯端末１００に常在するアプリケーションを運営するのに必要な情報、及び前述の各種機能を遂行するために必要なプログラムを実行するのに必要な情報のうち少なくとも一つを含む。
【００８９】
望ましい実施形態によるコンテンツ再生方法を実行するプログラムが、携帯端末１００に常在する１つのアプリケーションであるとき、前記アプリケーションを運用するのに必要な情報は、例えば、コンテンツ再生方法を実行するとき、タッチスクリーン２０３を介して提供されるＵＩ画面情報、ＧＵＩ画面情報、案内情報、ユーザ入力情報、プログラムの識別情報、プログラムのバージョン情報、プログラムを提供するサーバの位置情報（例えば、ＵＲＬ（uniform  resource  locator））、プログラムアップデート時、サーバと接触することができる情報（例えば、ログイン情報）、及びプログラム実行に必要な任意の情報のうち少なくとも一つを含んでもよいが、かような情報は、それらに制限されるものではない。
【００９０】
携帯端末１００の各種機能を遂行するためのプログラムを実行するのに必要な情報は、例えば、タッチスクリーン２０３を介して提供されるＵＩ画面情報、ＧＵＩ画面情報、案内情報、ユーザ入力情報、及びプログラム実行に必要な任意の情報のうち少なくとも一つを含んでもよいが、かような情報は、それらに制限されるものではない。
【００９１】
また、保存器２０７は、携帯端末１００によって再生されているコンテンツをシームレス再生するために、電子機器１２０によって必要とされるデータを生成することができる情報を含む。
【００９２】
前述のコンテンツをシームレス再生するために、電子機器１２０によって必要とされるデータを生成することができる情報は、例えば、電子機器１２０に係わる識別情報（例えば、電子機器１２０のモデル、電子機器１２０のメーカー情報など）、電子機器１２０のコンテンツ再生環境情報（例えば、解像度情報、二次元コンテンツ及び三次元コンテンツのいかんを示す情報など）、電子機器１２０の制御命令セット（例えば、電子機器１２０に定義された再生（play）命令語または中止（stop）命令語の二進コードについての情報）、及び電子機器１２０の動作条件情報（例えば、電子機器１２０が時間情報を利用して再生位置をサーチするか、あるいはフレーム情報を利用して再生位置をサーチするかを示す二進情報）、電子機器１２０の通信プロトコル情報、または遠隔制御機１１０の通信プロトコル情報のうち少なくとも一つを含んでもよいが、かような情報は、それらに制限されるものではない。
【００９３】
電子機器１２０によって必要とされるデータは、コンテンツ・プロバイダについての情報、携帯端末１００に係わるデバイス詳細情報、携帯端末１００に係わるユーザ情報、再生されているコンテンツに係わるメタデータ、及び近距離通信発生を感知した時間に対応するコンテンツの再生時間についての情報のうち少なくとも一つを含んでもよいが、かかるデータは、それらに制限されるものではない。コンテンツに係わるメタデータは、コンテンツに係わるタイトル情報、前述のコンテンツ再生環境情報を含んでもよい。前記コンテンツ・プロバイダについての情報は、例えば、コンテンツ受信チャネル情報、コンテンツ提供サーバのＵＲＬ情報を含んでもよいが、メタデータは、それらに制限されるものではない。
【００９４】
保存器２０７は、前記運用体制を始めとした携帯端末１００の各種機能を遂行するのに必要な少なくとも１つのプログラムを保存する保存器と、本発明の望ましい実施形態によるコンテンツ再生方法を実行する一つ以上のプログラム、資源及び前記アプリケーションを保存する保存器とを独立して構成することができる。
【００９５】
保存器２０７は、高速ランダムアクセスメモリ、磁気のディスク保存装置、フラッシュメモリのような揮発性メモリ、及び／または他の揮発性半導体メモリのうち少なくとも一つを含んでもよい。保存器２０７は、メモリともいわれる。
【００９６】
保存器２０７に保存されるプログラムは、その機能によって、複数個のモジュールに分類されもする。特に、保存器２０７に保存されるプログラムは、オペレーティング・モジュール、通信モジュール、グラフィック・モジュール、入力モジュール、及び／または任意の他の適切なタイプのプログラム・モジュールに分けることができるが、それらに制限されるものではない。
【００９７】
通信モジュールは、後述する通信部２０８で言及されるように、放送受信モジュール、移動通信モジュール、無線インターネット・モジュール、有線インターネット・モジュール、近距離通信モジュール及び位置情報モジュールのうち少なくとも一つを含んでもよいが、それらに制限されるものではない。近距離通信モジュールは、ＮＦＣモジュール、ブルートゥース・モジュール、ＷｉＦｉ  directモジュール、ＲＦＩＤモジュール、及び任意の他の適切なタイプのモジュールのうち少なくとも一つを含んでもよい。
【００９８】
入力モジュールは、タッチスクリーン２０３基盤のタッチモジュール、ユーザ入力部２０１基盤のハードウェア・キー入力モジュール、センサ２０２基盤のモーション認識モジュール、携帯端末１００の位置認識モジュール、ユーザの接触有無認識モジュール、携帯端末１００の加速または減速の認識モジュール、カメラ２０４基盤のモーション認識モジュール、オーディオ入力部２０５基盤の音声認識モジュール、及び／または任意の他の適切なタイプのモジュールのうち少なくとも一つを含んでもよいが、それらに制限されるものではない。
【００９９】
位置情報モジュールは、ＧＰＳ（global  positioning  system）基盤の携帯端末１００の位置追跡モジュールを含んでもよいが、それに制限されるものではない。
【０１００】
グラフィック・モジュールは、機器間のコンテンツのシームレス再生時、タッチスクリーン２０３上の画質を調節することができるが、それらに制限されるものではない。
【０１０１】
本発明の望ましい実施形態によって、保存器２０７に保存されるアプリケーション・モジュールは、機器間のコンテンツをシームレス再生するモジュールを含む。機器間のコンテンツのシームレス再生するモジュールは、図１Ｂのリモコン１６０のＮＦＣモジュール１６１と、スマートフォン１５０のＮＦＣモジュール１５１とのＮＦＣ接触１６２が発生することによる機器間のコンテンツ・シームレス再生するモジュールで具現されもするが、機器間のＮＦＣモジュール接触以外の近距離通信基盤の一つ以上の多様なモジュールを含んでもよい。すなわち、前記機器間のコンテンツ・シームレス再生するモジュールは、例えば、ブルートゥース基盤のモジュールを含んでもよい。ブルートゥース（登録商標）基盤のモジュールは、ＢＬＥ（bluetooth（登録商標）low  energy）を利用して、機器間の近距離通信発生を感知し、機器間でコンテンツをシームレス再生することができる。
【０１０２】
また、前記機器間コンテンツ・シームレス再生するモジュールは、携帯端末１００側において、電子機器１２０でのみコンテンツ・シームレス再生するモジュール、外部機器（図示せず）において、携帯端末１００でのみコンテンツ・シームレス再生するモジュール、前記２つのモジュールを結合したモジュールなど、多様なモジュールに分けられるが、それらに制限されるものではない。
【０１０３】
通信部２０８は、無線インターネット、無線イントラネット、無線電話ネットワーク、無線ラン（ＬＡＮ）、ワイファイ（Ｗｉ−Ｆｉ）ネットワーク、ワイファイ・ダイレクト（ＷＦＤ：Ｗｉ−Ｆｉ  direct）ネットワーク、３Ｇ（generation）ネットワーク、４Ｇ（４  generation）ＬＴＥ（long  term  evolution）ネットワーク、ブルートゥース（Bluetooth）ネットワーク、赤外線通信（ＩｒＤＡ：infrared  data  association）ネットワーク、ＲＦＩＤ（radio  frequency  identification）ネットワーク、ＵＷＢ（ultra  wideband）ネットワーク、ジグビー（登録商標）（Zigbee）ネットワーク、ＮＦＣ（near  field  communication）ネットワークのような無線ネットワーク、または有線インターネットのような有線ネットワークを利用して、電子機器１２０及びサーバ１３０とデータを送受信することができるように構成される。
【０１０４】
近距離通信部１０１と通信部２０８とが、いずれもＲＦＩＤ基盤で構成される場合、通信部２０８は、近距離通信部１０１に含まれるＲＦＩＤ基盤通信部より、さらに遠い通信距離を有するＲＦＩＤ基盤通信部で構成されもする。
【０１０５】
通信部２０８は、放送受信モジュール、移動通信モジュール、無線インターネット・モジュール、有線インターネット・モジュール、近距離通信モジュール及び位置情報モジュールのうち少なくとも一つを含んでもよいが、それらに制限されるものではない。
【０１０６】
放送受信モジュールは、放送チャネルを介して、外部の放送管理サーバから、放送信号及び／または放送関連情報を受信する。放送チャネルは、衛星チャネル、地上派チャネルを含んでもよい。移動通信モジュールは、移動通信網上で、基地局、外部の端末（例えば、電子機器１２０）、サーバ１３０のうち少なくとも一つと無線信号を送受信する。無線信号は、音声号信号、画像通話号、及び／または文字／マルチメディア・メッセージ送受信による多様な形態のデータのうち少なくとも一つを含んでもよい。無線インターネット・モジュールは、無線インターネット接続のためのモジュールを意味する。有線インターネット・モジュールは、有線インターネット接続のためのモジュールを意味する。
【０１０７】
近距離通信モジュールは、近距離通信のためのモジュールをいう。近距離通信技術として、ブルートゥース・ネットワーク、ＲＦＩＤネットワーク、赤外線通信、ＵＷＢ  ネットワーク、Zigbeeネットワーク、ＷＦＤネットワーク、ＮＦＣ及び／または他の適切な通信技術のうち少なくとも一つが利用される。位置情報モジュールは、携帯端末１００の位置を確認したり、あるいは得るためのモジュールが含まれる。一例として、ＧＰＳ（global  position  system）モジュールがある。ＧＰＳモジュールは、複数個の人工衛星から位置情報を受信する。位置情報は、緯度及び経度で表示される座標情報を含んでもよい。
【０１０８】
ポート２０９は、ＵＳＢ（universal  serial  bus）ポート（図示せず）のようなプラグ・アンド・プレイ（plug  and  play）・インターフェースを利用して、外部機器（図示せず）とデータを送受信することができる。プラグ・アンド・プレイ・インターフェースは、携帯端末１００のプラグに、外部機器が差し込まれ、自動的に外部機器を認識するモジュールを意味する。
【０１０９】
電源部２１１は、携帯端末１００の多様な構成要素に電力を供給する。電源部２１１は、例えば、バッテリ及び交流電源のような一つ以上の電源を含む。携帯端末１００は、電源部２１１を含まず、外部電源提供部（図示せず）と連結される連結部（connection  unit）（図示せず）を含んでもよい。
【０１１０】
プロセッサ２１０は、携帯端末１００の全般的な動作を制御するものであるが、一つ以上のプロセッサともいわれる。プロセッサ２１０が一つ以上のプロセッサともいわれるのは、図２の場合、プロセッサ２１０を単一チップ形態で図示したが、携帯端末１００の機能によって、プロセッサ２１０を、複数個のプロセッサに分割して運用することができるからである。
【０１１１】
プロセッサ２１０は、ユーザ入力部２０１、センサ２０２、タッチスクリーン２０３、カメラ２０４、オーディオ入力部２０５、オーディオ出力部２０６、保存器２０７、通信部２０８、ポート２０９及び近距離通信部１０１を全般的に制御することができる。従って、プロセッサ２１０は、制御器やマイクロプロセッサ、デジタル信号処理器（digital  signal  processor）などともいわれる。またプロセッサ２１０は、ユーザ入力部２０１、センサ２０２、タッチスクリーン２０３、カメラ２０４及びオーディオ入力部２０５のうち少なくとも一つを利用して、ユーザ・インターフェースを提供することができる。
【０１１２】
プロセッサ２１０は、望ましい実施形態によるコンテンツ再生方法に係わる少なくとも１つのプログラムを実行させることができる。プロセッサ２１０は、前記プログラムを保存器２０７から読み取って実行させたり、あるいは通信部２０８を介して連結されたアプリケーション提供サーバ（図示せず）またはマーケットサーバ（図示せず）のような外部装置からダウンロードされて実行させることができる。プロセッサ２１０は、携帯端末１００内の各種機能モジュールと、プロセッサ２１０とのインターフェース機能部を含んでもよい。本発明の望ましい実施形態によるコンテンツ再生方法に係わるプロセッサ２１０の動作は、後述する図５、図６、図７、図１６Ａ及び図１６Ｂに図示されたフローチャートのように遂行されもする。
【０１１３】
図３は、図１Ａに図示された遠隔制御機１１０の機能ブロック図である。図３を参照すれば、遠隔制御機１１０は、近距離通信部１１１、ユーザ入力部３０１、無線通信部３０２、プロセッサ３０３及び保存器３０４を含む。
ユーザ入力部３０１は、キーボタンまたはタッチ基盤で、ユーザの命令または／及びユーザ入力情報を入力する。
【０１１４】
無線通信部３０２は、プロセッサ３０３から伝送されたデータを、電子機器１２０に伝送するために、無線通信を遂行する。無線通信部３０２は、図４の無線通信部４０１と、データを送信または／及び受信することができるように構成される。無線通信部３０２は、プロセッサ３０３から伝送されたデータを、無線通信部４０１との通信プロトコルによるデータフォーマットに変更し、無線通信部４０１に伝送することができる。
【０１１５】
例えば、遠隔制御機１１０が、電子機器１２０と一方向通信を行う赤外線通信基盤の遠隔制御機であるならば、無線通信部３０２は、ＩＲ（infrared）送信機から構成されもする。無線通信部３０２がＩＲ送信機で構成される場合、無線通信部３０２は、赤外線通信（infrared-ray  commnucation）方式で、電子機器１２０にデータを伝送する。
【０１１６】
このために、無線通信部３０２は、プロセッサ３０３から受信されたデータを赤外線信号に変換した後、赤外線信号を電子機器１２０に伝送する。プロセッサ３０３から受信されたデータは、ユーザ入力部３０１によって入力されたユーザの命令、または／及びユーザの入力情報、または／及び近距離通信部１１１を介して受信されたデータに依存する。
【０１１７】
特に、近距離通信部１１１と近距離通信部１０１との接触、または前述の物理的な近接距離アクセスによる近接通信発生が感知されることによって、携帯端末１００から受信されるコンテンツを再生するために、電子機器１２０によって必要とされるデータが、近距離通信部１１１からプロセッサ３０３に伝送される。プロセッサ３０３は、近距離通信部１１１から受信されたデータを、無線通信部３０２に伝送する。
【０１１８】
プロセッサ３０３は、ユーザ入力部３０１を介してデータ伝送要請信号が受信されれば、近距離通信部１１１を介して受信されたデータを、無線通信部３０２を介して電子機器１２０に伝送するように構成されもする。このために、プロセッサ３０３は、受信されたデータを保存部３０４に保存することができる。
【０１１９】
また、プロセッサ３０３は、前記近接通信発生が感知されるとき、無線通信部３０２を介して、電子機器１２０に電源オン要請信号を伝送するように構成されもする。このとき、プロセッサ３０３は、電子機器１２０によって、前述の電源オン要請信号を、ユーザ入力部３０１に含まれた電源オン／オフボタン（図示せず）を制御することによる電源オン要請信号と異なって認識するように発生させることができる。
【０１２０】
例えば、近接通信発生が感知されることによる電源オン要請信号を伝送するとき、電源オン要請信号のプリアンブル（preamble）に「０」情報を付加して伝送し、ユーザ入力部３０１に含まれた電源オン／オフボタンを制御することによる電源オン要請信号は、電源オン要請信号のプリアンブルに「１」情報を付加して伝送することができる。電子機器１２０は、受信された電源オン要請信号のプリアンブルに含まれた情報を分析し、近接通信発生感知による電源オン要請信号であるか、あるいはユーザ入力部３０１に含まれた電源オン／オフボタンを制御することによる電源オン要請信号であるかを判断するように構成される。
【０１２１】
近接通信発生が感知されることによって、携帯端末１００からデータが受信されるとき、プロセッサ３０３は、携帯端末１００から受信されたデータと、電子機器１２０に係わる電源オン要請信号とを共に電子機器１２０に伝送することができる。
【０１２２】
電子機器１２０は、電子機器１２０の電源オン／オフ状態によって、電源がオンになるように動作することができる。特に、電子機器１２０の電源がオン状態であるとき、電子機器１２０は、受信された電源オン要請信号を無視する。電子機器１２０の電源がオフ状態であるとき、電子機器１２０は、受信された電源オン要請信号に応答して、電源がオンになるように動作することができる。
【０１２３】
一方、遠隔制御機１１０と電子機器１２０との通信プロトコルが双方向通信を行うＲＦ通信基盤であるならば、無線通信部３０２は、ＲＦモジュールで構成される。
【０１２４】
無線通信部３０２がＲＦモジュールで構成される場合、プロセッサ３０３は、近距離通信部１１１から受信されたデータを、無線通信部３０２に伝送する。無線通信部３０２は、プロセッサ３０３から受信されたデータをＲＦ信号に変換し、変換されたＲＦ信号を、電子機器１２０に伝送する。また、無線通信部３０２がＲＦモジュールで構成され、電子機器１２０によって再生されているコンテンツを、携帯端末１００によってシームレス再生する場合、プロセッサ３０３は、無線通信部３０２を介して、電子機器１２０でコンテンツを再生するために、携帯端末１００によって必要とされるデータ要請信号を伝送し、電子機器１２０から前記必要なデータを受信することができる。
【０１２５】
また、無線通信部３０２を介した電子機器１２０との双方向通信を利用して、プロセッサ３０３は、電子機器１２０の電源オン／オフ状態をモニタリングし、その結果を保存器３０４に保存することができる。前述の近距離通信発生が感知されれば、プロセッサ３０３は、保存器３０４に保存された電子機器１２０の電源オン／オフ状態についての情報に基づいて、電子機器１２０に係わる電源オン要請信号発生いかんを判断することができる。判断結果によって、プロセッサ３０３は、無線通信部３０２を介して、電子機器１２０に電源オン要請信号を伝送することができる。
【０１２６】
無線通信部３０２は、ブルートゥース標準規格（例えば、ブルートゥース４．０）のような近距離通信基盤で構成されもする。かような場合、無線通信部３０２は、プロセッサ３０３から受信されたデータをブルートゥース標準規格によって伝送されるデータフォーマットに変更し、変更されたデータを、電子機器１２０に伝送する。もし無線通信部３０２がブルートゥース標準に基づいて構成された場合、無線通信部３０２は、近距離通信部１１１とワンチップ（ｏne-chip）化されもする。
【０１２７】
図４は、図１Ａに図示された電子機器１２０の機能ブロック図である。図４は、電子機器１２０が通信機能を有するＴＶである場合の機能ブロック図である。図４を参照すれば、電子機器１２０は、無線通信部４０１、通信部４０２、放送信号受信部４０３、保存器４０４、プロセッサ４０５、映像処理部４０６、ディスプレイ部４０７、オーディオ処理部４０８、オーディオ出力部４０９及びオーディオ入力部４１０を含む。
【０１２８】
無線通信部４０１は、遠隔制御機１１０に含まれた無線通信部３０２と通信することができるように構成される。特に、無線通信部３０２がＩＲ送信機で構成されれば、無線通信部４０１は、ＩＲ受信機で構成され、無線通信部３０２から伝送される赤外線信号を受信し、復調してプロセッサ４０５に伝送する。
【０１２９】
無線通信部４０１がＲＦモジュールで構成されれば、無線通信部４０１は、ＲＦモジュールで構成され、無線通信部３０２から伝送されるＲＦ信号を受信し、復調してプロセッサ４０５に伝送する。
【０１３０】
無線通信部４０１は、前述のＩＲモジュール及びＲＦモジュールに制限されるものではない。特に、前述の無線通信部３０２と類似し、ブルートゥース標準規格による近距離通信基盤で構成されもする。無線通信部３０２がブルートゥース標準規格によってデータを送受信するように構成された場合、無線通信部４０１は、ブルートゥース標準規格によるフォーマットを有するデータを受信し、受信されたデータを復調してプロセッサ４０５に伝送する。
【０１３１】
通信部４０２は、無線通信モジュールを介して接続された携帯端末１００またはサーバ１３０と、無線データ通信を遂行する。電子機器１２０は、ブルートゥース（Bluetooth）ネットワーク、ＲＦＩＤ（radio  frequency  identification）ネットワーク、ＷｉＦｉネットワーク、赤外線通信（ＩｒＤＡ）ネットワーク、ＵＷＢ（ultra  wideband）ネットワーク、ジグビー（Zigbee）ネットワーク、及びＮＦＣネットワークなどの無線通信基盤ネットワーク；ホームＰＮＡ（phoneline  networking  alliance）、ＰＬＣ（power  line  communication）、ＩＥＥＥ  １３９４、有線インターネットなどの有線通信基盤ネットワーク；及び／または各種ホームネットワーク；のうち少なくとも一つを使用して、携帯端末１００またはサーバ１３０とデータ通信が可能である。
【０１３２】
プロセッサ４０５は、通信部４０２を介して連結された携帯端末１００及びサーバ１３０のうち少なくとも一つからコンテンツを再生するために必要なデータまたはコンテンツを受信することができる。プロセッサ４０５は、図２のプロセッサ２１０のように、少なくても一つ以上のプロセッサで構成されもする。
【０１３３】
放送信号受信部４０３は、チューナ（図示せず）を介して受信される放送信号を、映像信号及びオーディオ信号に分離して出力する。特に、チューナは、アンテナを介して受信されるＲＦ（radio  frequency）放送信号のうち、ユーザによって選択されたチャネルまたは既保存の全てのチャネルに該当するＲＦ放送信号を選択する。また、選択されたＲＦ放送信号を、中間周波数信号、ベースバンド映像及びオーディオ信号のうち少なくとも一つに変換する。中間周波数信号、ベースバンド映像及びオーディオ信号のうち少なくとも一つは、プロセッサ４０５に入力される。
【０１３４】
保存器４０４は、プロセッサ４０５での各種信号処理及び制御のための少なくとも１つのプログラムを保存し、携帯端末１００の認証についての情報、電子機器１２０についての情報、及び電子機器１２０に係わるユーザ情報などを保存することができる。
【０１３５】
プロセッサ４０５は、電子機器１２０の全機能を制御する。プロセッサ４０５は、通信部４０２を介して、携帯端末１００とデータを送受信するように、電子機器１２０を制御することができる。保存器４０４に保存されたプログラムをローディングし、望ましい実施形態によるＵＩ（user  interface）画面を構成し、映像処理部４０６を介してディスプレイ部４０７にディスプレイすることができる。
【０１３６】
望ましい実施形態によるＵＩ画面は、再生するコンテンツのユーザ選択を可能にするＵＩ画面を含んでもよい。再生するコンテンツのユーザ選択を可能にするＵＩ画面は、電子機器１２０によってコンテンツを再生しているとき、携帯端末１００と遠隔制御機１１０との間に近距離通信が発生することにより、無線通信部４０１及び通信部４０２のうち少なくとも一つを介してコンテンツを再生するために、電子機器１２０によって必要とされるデータが受信されるとき、プロセッサ４０５によって発生する。
【０１３７】
また、ＵＩ画面は、電子機器１２０の電源がオンになった後、最初メニュー画面を含んでもよい。電子機器１２０の電源オンが、遠隔制御機１１０と携帯端末１００との近接通信発生によるものであるならば、最初メニュー画面は、携帯端末１００によって再生されているコンテンツをシームレス再生するか、全体コンテンツを再生するか、付加情報を見るか、あるいは後でシームレス再生するために保存するかに係わるユーザ選択を可能にする項目を含んでもよい。
【０１３８】
前記近接通信発生による電子機器１２０の電源オン時、遠隔制御機１１０または携帯端末１００から受信されたデータは、携帯端末１００によって再生されているコンテンツに係わるデータではない、携帯端末１００に保存されたコンテンツリストである。かような場合、電子機器１２０の最初メニュー画面は、前記コンテンツリストを含んでもよい。これによってユーザは、最初メニュー画面を介して提供されるコンテンツリストに基づいて、再生を所望するコンテンツを選択することができる。
【０１３９】
しかし、電子機器１２０の電源オンが、前述の近接通信発生によるものではないが、後でシームレス再生するために保存された情報のためである場合、電子機器１２０の最初メニュー画面は、コンテンツをシームレス再生するかいかんに係わるユーザ選択を可能にする項目を含んでもよい。後でシームレス再生するために保存された情報によって、電子機器１２０の電源がオンになるのは、予約機能によって遂行されるが、それに制限されるものではない。
【０１４０】
映像処理部４０６は、映像デコーダ（図示せず）及びスケーラ（図示せず）を含む。映像処理部４０６は、放送信号受信部４０３から出力される映像信号が画面に表示されるように処理する。映像デコーダは、逆多重化された映像信号を復号化し、スケーラは、復号化された映像信号の解像度をディスプレイ部４０７に出力するようにスケーリングを行う。映像デコーダは、多様な規格のデコーダを具備することが可能である。例えば、逆多重化された映像信号がＭＰＥＧ−２規格で符号化された映像信号である場合、ＭＰＥＧ−２デコーダによって復号化されもする。例えば、逆多重化された映像信号が、ＤＭＢ（digital  multimedia  broadcasting）方式またはＤＶＢ（digital  video  broadcasting）−ＨによるＨ．２６４規格で符号化された映像信号である場合、Ｈ．２６４デコーダによって復号化されもする。
【０１４１】
ディスプレイ部４０７は、映像処理部４０６で処理された映像を出力することができる。出力される映像は、放送信号受信部４０３から受信された映像、ＵＩ画面、及び通信部４０２を介して、携帯端末１００またはサーバ１３０から受信されるコンテンツの映像を含んでもよい。しかしディスプレイ部４０７は、タッチスクリーンで構成され、入力装置として使用されもする。
【０１４２】
オーディオ処理部４０８は、放送信号受信部４０３から出力されるオーディオ信号と、通信部４０２を介して受信されるコンテンツに含まれるオーディオ信号とのうち少なくとも一つを処理して、オーディオ出力部４０９に出力する。オーディオ出力部４０９は、例えば、ステレオ信号、３．１チャネル信号及び５．１チャネル信号のうち少なくとも一つを出力するなど多様な形態で具現されもする。
【０１４３】
また、オーディオ処理部４０８は、オーディオ入力部４１０から受信される信号を処理し、プロセッサ４０５に伝送することができる。オーディオ入力部４１０は、マイクロ構成されもする。
【０１４４】
図５は、本発明の望ましい一実施形態による、携帯端末１００によって実行されるコンテンツ再生方法のフローチャートの一例である。図５は、図２のプロセッサ２１０で遂行されもする。
【０１４５】
携帯端末１００がタッチスクリーン２０３上にコンテンツを再生しているとき（Ｓ５０１）、近距離通信部１０１を介して、遠隔制御機１１０との近距離通信発生が感知されれば（Ｓ５０２）、プロセッサ２１０は、タッチスクリーン２０３上に再生されているコンテンツを再生するために、前記電子機器１２０によって必要とされるデータを生成する（Ｓ５０３）。生成されたデータは、図２で説明したように、コンテンツ・プロバイダ情報、前記携帯端末１００に係わるデバイス詳細情報（device-specific  information）、前記携帯端末１００に係わるユーザ情報、前記コンテンツに係わるメタデータ、及び前記近距離通信発生を感知した時間に対応する前記コンテンツの再生時間についての情報のうち少なくとも一つを含む。
【０１４６】
プロセッサ２１０は、生成されたデータを、近距離通信部１０１を介して、前記遠隔制御機１１０に伝送する（Ｓ５０４）。近距離通信部１０１は、生成されたデータを、近距離通信データ交換フォーマットを有するデータに変換し、前記変換されたデータを、前記遠隔制御機１１０に伝送する。
【０１４７】
図６は、本発明の望ましい一実施形態による、携帯端末１００によって実行されるコンテンツ再生方法のフローチャートの他例である。図６は、図２のプロセッサ２１０で遂行されもする。図６の段階Ｓ６０１ないしＳ６０４は、図５の段階Ｓ５０１ないしＳ５０４と同一であるので、以下、説明を省略する。
【０１４８】
段階Ｓ６０４で、プロセッサ２１０は、前記生成されたデータを、近距離通信部１０１を介して遠隔制御機１１０に伝送する。段階Ｓ６０５で、プロセッサ２１０は、通信部２０８を介して、電子機器１２０からコンテンツ伝送要請信号と、電子機器１２０についての情報とを受信する（Ｓ６０５）。前記コンテンツ伝送要請信号と、電子機器１２０についての情報は、近距離通信部１０１を介して、遠隔制御機１１０から受信されもする。これによって、プロセッサ２１０は、電子機器１２０に係わる受信された情報を利用して、通信部２０８を介して、コンテンツを電子機器１２０に直接伝送する（Ｓ６０６）。
【０１４９】
このとき、プロセッサ２１０は、タッチスクリーン２０３に、例えば、「コンテンツ送信中」のように、コンテンツの伝送状態を示すメッセージを出力したり、例えば、「コンテンツ伝送手開始、コンテンツ伝送中、コンテンツ伝送終了」などのように、多くの段階でコンテンツの伝送状態を示すメッセージを出力することができる。コンテンツの伝送状態を示すメッセージを、多くの段階に分けてタッチスクリーン２０３にディスプレイするとき、プロセッサ２１０は、伝送するコンテンツのデータ量と、通信部２０８の通信速度とをモニタリングし、コンテンツの伝送状態を示すメッセージの出力時点を制御することができる。
【０１５０】
図７は、本発明の望ましい一実施形態による、携帯端末１００によって実行されるコンテンツ再生方法のフローチャートのさらに他の例である。図７は、図２のプロセッサ２１０で遂行されもする。図７の段階Ｓ７０１ないしＳ７０６は、図６の段階Ｓ６０１ないしＳ６０６と同一であるので、以下、説明を省略する。
【０１５１】
プロセッサ２１０は、段階Ｓ７０７で、通信部２０８を介して電子機器１２０から再生完了案内メッセージが受信されれば、タッチスクリーン２０３を介して、前記受信された再生完了案内メッセージをディスプレイする（Ｓ７０８）。
【０１５２】
図８は、本発明の望ましい一実施形態による、電子機器１２０を制御するように構成された遠隔制御機１１０を使用して実行することができるコンテンツ再生方法のフローチャートの一例である。図８は、図３のプロセッサ３０３によって遂行されもする。
【０１５３】
図８を参照すれば、プロセッサ３０３が、近距離通信部１１１を介して、携帯端末１００と遠隔制御機１１０との近距離通信発生を感知する（Ｓ８０１）。これによって、プロセッサ３０３は、近距離通信部１１１を介して、携帯端末１００によって再生されているコンテンツを再生するために、電子機器１２０によって必要とされるデータを、携帯端末１００から受信する（Ｓ８０２）。前記近距離通信発生を感知することによって、プロセッサ３０３は、電子機器１２０の電源オン要請信号を、電子機器１２０に伝送することができる。これによって、電子機器１２０は、前記受信された電源オン要請信号を、近接通信発生によって受信されたと認識し、電子機器１２０の電源オン状態を制御することができる。
【０１５４】
プロセッサ３０３は、受信されたデータを、無線通信部３０２を介して電子機器１２０に伝送する（Ｓ８０３）。受信されたデータを電子機器１２０に伝送することは、遠隔制御機１１０のユーザ入力部３０１を介して受信されるデータ伝送要請信号に応答して遂行されもする。また、受信されたデータは、図３で説明したように、無線通信部３０２で、電子機器１２０と遠隔制御機１１０との通信プロトコルによるデータフォーマットを有するデータに変換し、変換されたデータは、電子機器１２０に伝送される。
【０１５５】
プロセッサ３０３は、図３で説明したように、受信されたデータを電子機器１２０に伝送する前または伝送時に、電子機器１２０に係わる電源オン要請信号を、電子機器１２０に伝送することができる。
【０１５６】
図９は、本発明の望ましい一実施形態による、電子機器１２０を制御するように構成された遠隔制御機１１０を使用して実行されるコンテンツ再生方法のフローチャートの他例である。図９は、図３のプロセッサ３０３によって遂行されもする。図９の段階Ｓ９０１ないし段階Ｓ９０３は、図８の段階Ｓ８０１ないし段階Ｓ８０３と同一であるので、以下、説明を省略する。
【０１５７】
プロセッサ３０３は、無線通信部３０２を介して、電子機器１２０からコンテンツ伝送要請信号と、電子機器１２０についての情報とを受信し（Ｓ９０４）、近距離通信部１１１を介して、コンテンツ伝送要請信号と、電子機器１２０についての情報とを携帯端末１００に伝送する（Ｓ９０５）。
【０１５８】
図１０は、本発明の望ましい一実施形態による、電子機器１２０によって実行されるコンテンツ再生方法のフローチャートの一例である。図１０は、図４のプロセッサ４０５によって遂行されもする。
【０１５９】
プロセッサ４０５は、通信部４０２を介して、遠隔制御機１１０から情報を受信する（Ｓ１００１）。プロセッサ４０５は、受信されたデータを分析する（Ｓ１００２）。プロセッサ４０５は、データを分析した結果に基づいて、コンテンツ・プロバイダにコンテンツ伝送要請信号を伝送する（Ｓ１００３）。分析の結果、コンテンツ・プロバイダがサーバ１３０であるということを示す場合、プロセッサ４０５は、通信部４０２を介して、コンテンツ伝送要請信号をサーバ１３０に伝送する。分析の結果、コンテンツ・プロバイダが携帯端末１００であるということを示す場合、プロセッサ４０５は、通信部４０２を介して、コンテンツ伝送要請信号を携帯端末１００に伝送する。分析の結果、コンテンツ・プロバイダがサーバ１３０と携帯端末１００とのいずれも含む場合、ユーザがコンテンツ・プロバイダを選択するようにプロセッサ４０５は、ＵＩ画面をディスプレイ部４０７に出力する。
【０１６０】
プロセッサ４０５は、通信部４０２を介して、前述のコンテンツ・プロバイダからコンテンツを受信する（Ｓ１００４）。受信されたコンテンツが、映像信号とオーディオ信号とが結合された場合、プロセッサ４０５は、映像処理部４０６及びディスプレイ部４０７を使用して映像信号を再生し、オーディオ処理部４０８とオーディオ出力部４０９とを使用して、オーディオ信号を再生する（Ｓ１００５）。
【０１６１】
このとき、受信されるコンテンツの解像度が複数個である場合、プロセッサ４０５は、通信部４０２を介して、複数個の解像度についての情報を受信する。プロセッサ４０５は、受信された複数個の解像度についての情報を、ユーザが見ることができるＵＩ画面（またはＵＩメニュースクリーン）をディスプレイ部４０７にディスプレイすることができる。これによって、ユーザが１つの解像度を選択すれば、選択された解像度についての情報をコンテンツ・プロバイダに伝送し、ユーザが選択した解像度を有するコンテンツを受信することができる。
【０１６２】
しかし、受信されるコンテンツの解像度が複数個であり、コンテンツ・プロバイダが電子機器１２０の解像度についての情報を有している場合、プロセッサ４０５は、通信部４０２を介して、電子機器１２０の解像度に該当するコンテンツを受信し、映像処理部４０６とディスプレイ部４０７とを使用して、即座に再生することができる。
【０１６３】
図１１は、本発明の望ましい一実施形態による、電子機器１２０を使用して実行されるコンテンツ再生方法のフローチャートの他例である。図１１の方法は、プロセッサ４０５によって遂行されもする。
【０１６４】
プロセッサ４０５は、前述の段階Ｓ１００１と類似して、無線通信部４０１を介して遠隔制御機１１０から情報を受信し（Ｓ１１０１）、受信されたデータを分析する（Ｓ１１０２）。
【０１６５】
プロセッサ４０５は、分析されたデータのうち、認証処理に係わるデータを利用して、帯端末１００に係わる認証処理を行う（Ｓ１１０３）。特に、プロセッサ４０５は、保存器４０４に前もって保存された認証についての情報と、分析されたデータから検出された認証処理に係わるデータとを比較する。もし前もって保存された認証についての情報と、分析されたデータから検出された認証処理に係わるデータとが一致しなければ、プロセッサ４０５は、コンテンツをシームレス再生しない（Ｓ１１０４）。認証処理に係わるデータは、例えば、携帯端末１００に係わるデバイス詳細情報、及び携帯端末１００に係わるユーザ情報のうち少なくとも一つを含む。認証処理は、コンテンツのシームレス再生を許容するか否かに係わる認証処理を意味する。
【０１６６】
しかし、前述の認証処理結果、分析されたデータに含まれた携帯端末１００に係わるデバイス詳細情報（例えば、携帯端末１００に係わる固有識別情報）または携帯端末１００に係わるユーザ情報（例えば、ユーザ識別情報）と、前記認証に係わる前もって保存された情報（例えば、好むコンテンツタイプ情報）とが一致すれば、プロセッサ４０５は、分析された結果によって、通信部２０８を介して、コンテンツ・プロバイダにコンテンツ伝送要請信号を伝送する（Ｓ１１０６）。
【０１６７】
これによって、プロセッサ４０５は、通信部２０８を介して、コンテンツ・プロバイダからコンテンツを受信すれば（Ｓ１１０６）、受信されたコンテンツを、前述のところのように、映像処理部４０６、ディスプレイ部４０７、オーディオ処理部４０８及びオーディオ出力部４０９を利用して再生する（Ｓ１１０７）。
【０１６８】
図１２は、本発明の望ましい一実施形態による、電子機器１２０によって実行されるコンテンツ再生方法のフローチャートの一例である。図１２は、電子機器１２０によってコンテンツを再生しているとき、遠隔制御機１１０と携帯端末１００との間に近接通信発生が感知された場合である。
【０１６９】
プロセッサ４０５は、前述の近接通信発生によって、無線通信部４０１を介して、遠隔制御機１１０から情報が受信されるとき（Ｓ１２０１）、前述のように、映像処理部４０６、ディスプレイ部４０７、オーディオ処理部４０８及びオーディオ出力部４０９を利用して、コンテンツを再生していれば、現在再生しているコンテンツを再生するか、あるいは携帯端末１００によって再生されているコンテンツをシームレス再生するかを選択するためのＵＩ画面を、ディスプレイ部４０７に出力する（Ｓ１２０２，Ｓ１２０３）。
【０１７０】
無線通信部４０１を介して、遠隔制御機１１０から受信されたユーザ入力情報が、シームレス再生に係わる選択を示すのではなければ、プロセッサ４０５は、現在再生中のコンテンツを続けて再生する（Ｓ１２０５）。一方、前記無線通信部４０１を介して、遠隔制御機１１０から受信されたユーザ入力情報が、コンテンツのシームレス再生に係わる選択を示せば、プロセッサ４０５は、通信部４０２を介して受信されたデータを分析し（Ｓ１２０６）、図１１で説明した段階Ｓ１１０５ないしＳ１１０７でのように、段階Ｓ１２０８ないしＳ１２０９を遂行する。
【０１７１】
図１２の段階Ｓ１２０１で、近接通信発生によって、無線通信部４０１を介して遠隔制御機１１０から情報が受信されるとき（Ｓ１２０１）、受信される情報に、電子機器１２０に係わる電源オン要請信号が含まれていることがある。かような場合、前述のように、プロセッサ４０５は、一般電源オン要請信号ではない、近接通信発生による電源オン要請信号であると認識することができる。これによって、プロセッサ４０５は、自体のパワーがオン状態であるならば、無線通信部４０１を介して受信された電源オン要請信号を無視する。しかし、自体のパワーがオフ状態であるならば、プロセッサ４０５は、パワーをオンにする。また、もしシームレス再生されるコンテンツが一般放送信号である場合、プロセッサ４０５は、段階Ｓ１２０６で得られた分析結果に基づいて放送チャネルを設定し、段階Ｓ１２０８で、放送信号受信部４０３を介して放送信号を受信することができる。
【０１７２】
図１３は、携帯端末１００によって再生されているコンテンツを、電子機器１２０によってシームレス再生するとき、電子機器１２０が、携帯端末１００からコンテンツを要請する場合の、携帯端末１００、遠隔制御機１１０及び電子機器１２０の間の動作フローチャートである。以下、フローチャートは、説明の便宜のために、各動作の主体を携帯端末１００、遠隔制御機１１０及び電子機器１２０として説明するが、図２、図３及び図４に図示された携帯端末１００、遠隔制御機１１０及び電子機器１２０に含まれた各構成要素が利用されると理解されなければならないのである。
【０１７３】
携帯端末１００がコンテンツを再生しているとき（Ｓ１３０１）、携帯端末１００と遠隔制御機１１０との間にＮＦＣ接触が発生すれば（Ｓ１３０２）、携帯端末１００は、コンテンツを再生するために、電子機器１２０によって必要とされるデータを生成する（Ｓ１３０３）。生成されるデータは、前述の図５で生成されるデータと同じである。
【０１７４】
携帯端末１００は、データを遠隔制御機１１０に伝送する（Ｓ１３０４）。遠隔制御機１１０は、受信されたデータを電子機器１２０に伝送する（Ｓ１３０５）。このとき、電源オン要請信号は、図３で説明したように、電子機器１２０に伝送される。また、段階Ｓ１３０５で、遠隔制御機１１０から電子機器１２０にデータを伝送するとき、遠隔制御機１１０と電子機器１２０との通信プロトコルによるフォーマットにデータを変換し、変換されたデータを電子機器１２０に伝送することができる。
【０１７５】
これによって、電子機器１２０は、受信されたデータを、電子機器１２０に適するフォーマットを有するデータに変換し、変換されたデータを分析する（Ｓ１３０６）。電子機器１２０に適するフォーマットを有するデータは、電子機器１２０によって認識されるフォーマットを有するデータを意味する。従って、電子機器１２０に適するフォーマットは、電子機器１２０の運用体制、電子機器１２０のモデル、電子機器１２０のメーカー、電子機器１２０の制御命令に係わる二進コード情報などのうち、少なくとも一つによって決定されもするが、フォーマットは、それらに制限されるものではない。
【０１７６】
段階Ｓ１３０６の分析結果によって、電子機器１２０が携帯端末１００からコンテンツ受信を決めることによって、携帯端末１００と通信をチャネルを設定する（Ｓ１３０７）。このとき、電子機器１２０に、携帯端末１００と通信可能な機能が前もって設定されていない場合、電子機器１２０は、分析された受信データに含まれている携帯端末１００に係わる通信機能情報に基づいて、通信機能を活性化し、携帯端末と通信チャネルを設定することができる。
【０１７７】
例えば、前記通信可能な機能がワイファイ・ダイレクト・ネットワーク基盤である場合、携帯端末１００から受信された情報に含まれているワイファイ・ダイレクト通信情報に基づいて、電子機器１２０は、ワイファイ・ダイレクト通信機能を活性化し、携帯端末１００と通信チャネルを設定することができる。
【０１７８】
通信チャネルが設定された後、電子機器１２０は、設定された通信チャネルを利用して、携帯端末１００に、コンテンツ伝送要請信号と、電子機器についての情報とを伝送する（Ｓ１３０８）。これによって、携帯端末１００によってコンテンツが伝送されれば（Ｓ１３０９）、電子機器１２０は、携帯端末１００から前記送信されたコンテンツを受信し、受信されたコンテンツを再生する（Ｓ１３１０）。通信チャネル設定は、前述のワイファイ・ダイレクト以外の近距離通信プロトコルを利用して設定されもする。例えば、ブルートゥースのような近距離通信プロトコルによって、前述の通信チャネルが設定されもする。
【０１７９】
図１４は、携帯端末１００によって再生されているコンテンツを、電子機器１２０によってシームレス再生するとき、電子機器１２０が、携帯端末１００にコンテンツを要請する場合の、携帯端末１００、遠隔制御機１１０及び電子機器１２０の間の動作フローチャートである。以下、フローチャートは、説明の便宜のために、各動作の主体を、携帯端末１００、遠隔制御機１１０及び電子機器１２０として説明するたが、図２、図３及び図４に図示された携帯端末１００、遠隔制御機１１０及び電子機器１２０に含まれた各構成要素が利用されると理解されなければならないのである。
【０１８０】
図１４は、電子機器１２０によって発生するコンテンツ伝送要請信号と、電子機器１２０についての情報とを、遠隔制御機１１０を介して携帯端末１００に伝送する。従って、図１４の段階Ｓ１４０１ないし段階Ｓ１４０６は、図１３の段階Ｓ１３０１ないし段階Ｓ１３０６に対応するので、以下、説明を省略する。
【０１８１】
段階Ｓ１４０７で、電子機器１２０が携帯端末１００からコンテンツ受信を決定するとき、電子機器１２０は、遠隔制御機１１０に、コンテンツ伝送要請信号と、電子機器１２０についての情報とを伝送する。遠隔制御機１１０が、コンテンツ伝送要請信号と、電子機器１２０についての情報とを、携帯端末１００に伝送する（Ｓ１４０８）。携帯端末１００によって受信された要請に基づいて、携帯端末１００と電子機器１２０との間に、通信チャネルが設定される（Ｓ１４０９）。このとき、携帯端末１００に、電子機器１２０と通信可能な機能が前もって設定されていない場合、携帯端末１００は、受信された電子機器１２０についての情報に基づいて、通信機能を活性化し、通信チャネルを設定することができる。特に、前述の図１３の例と類似して、電子機器１２０についての情報に含まれた通信機能情報がワイファイ・ダイレクトである場合、携帯端末１００は、遠隔制御機１１０から受信された電子機器１２０についての情報に基づいて、ワイファイ・ダイレクト機能を活性化し、通信チャネルを設定することができる。
通信チャネルを設定した後、段階Ｓ１４１０で、携帯端末１００は、コンテンツを電子機器１２０に伝送し、電子機器１２０は、コンテンツを再生する（Ｓ１４１１）。通信チャネル設定は、前述のワイファイ・ダイレクト以外の、例えば、ブルートゥースのような近距離通信プロトコルによって設定されもする。
【０１８２】
図１５は、電子機器１２０が、サーバ１３０にコンテンツを要請する例の、携帯端末１００、遠隔制御機１１０、電子機器１２０及びサーバ１３０の間の動作フローチャートである。以下、フローチャートは、説明の便宜のために、各動作の主体を、携帯端末１００、遠隔制御機１１０及び電子機器１２０として説明するが、図２、図３及び図４に図示された携帯端末１００、遠隔制御機１１０及び電子機器１２０に含まれた各構成要素が利用されると理解されなければならない。
【０１８３】
図１５の段階Ｓ１５０１ないし段階Ｓ１５０６は、図１３の段階Ｓ１３０１ないし段階Ｓ１３０７に対応するので、以下、説明を省略する。
【０１８４】
電子機器１２０は、サーバ１３０からコンテンツを受信することを決定することによって、サーバ１３０と通信チャネルを設定する（Ｓ１５０７）。電子機器１２０とサーバ１３０との通信チャネルを設定するために、電子機器１２０とサーバ１３０との間にデータを送受信する。電子機器１２０とサーバ１３０との通信チャネルは、図４の通信部４０２で説明した無線または有線の通信プロトコルのうち少なくとも一つを基に設定される。電子機器１２０とサーバ１３０との通信チャネルは、携帯端末１００から受信されたデータに含まれたサーバ１３０についての情報、及び／または携帯端末１００のユーザについての情報を利用して、自動的に設定される。電子機器１２０とサーバ１３０との通信チャネルを設定するために利用される情報は、前述のところに制限されるものではない。
【０１８５】
通信チャネルを設定した後、電子機器１２０は、受信されたデータに含まれたコンテンツについての情報を利用して、サーバ１３０にコンテンツ伝送要請信号を伝送する（Ｓ１５０８）。サーバ１３０は、受信されたコンテンツ伝送要請信号に含まれているコンテンツに係わるメタデータを利用してコンテンツを検索し、検索されたコンテンツを電子機器１２０に伝送する（Ｓ１５０９）。電子機器１２０は、受信されたコンテンツを再生する（Ｓ１５１０）。
【０１８６】
前述の図５ないし図１５は、携帯端末１００がコンテンツを再生しているとき、携帯端末１００と遠隔制御機１１０との間に、ＮＦＣ接触のような近距離通信が発生することによって、携帯端末１００によって再生されていたコンテンツを、電子機器１２０がシームレス再生する場合の実施形態である。
【０１８７】
携帯端末１００で一時停止された状態でディスプレイされているコンテンツについても、前述の実施形態を適用することができる。その場合、携帯端末１００によって生成される電子機器１２０によって必要とされるデータは、一時停止されたコンテンツの再生位置情報を含んでもよい。
【０１８８】
図１６Ａ、図１６Ｂないし図２１は、電子機器１２０がコンテンツを再生しているとき、遠隔制御機１１０と携帯端末１００との間にＮＦＣ接触のような近距離通信が発生することにより、携帯端末１００がシームレス再生する場合のフローチャートである。
【０１８９】
図１６Ａは、本発明の望ましい他の実施形態による、携帯端末１００のフローチャートである。図１６Ａは、プロセッサ２１０によって遂行される。
【０１９０】
電子機器１２０がコンテンツを再生し、近距離通信部２０８が、遠隔制御機１１０と携帯端末１００との近距離通信発生を感知すれば（Ｓ１６０１）、プロセッサ２１０は、電子機器１２０によって再生されているコンテンツを再生するために、携帯端末１００によって必要とされるデータを、近距離通信部２０８を介して遠隔制御機１１０から受信したり、あるいは通信部２０８を介して、電子機器１２０から直接受信する（Ｓ１６０２）。受信されたデータは、コンテンツ・プロバイダ情報、電子機器１２０に係わるデバイス情報、電子機器１２０に係わるユーザ情報、コンテンツに係わるメタデータ、及び近距離通信発生を感知した時間に対応するコンテンツの再生位置を示す再生時間についての情報のうち少なくとも一つを含んでもよい。
【０１９１】
プロセッサ２１０は、受信されたデータに含まれている電子機器１２０についての情報と、電子機器１２０に係わるユーザ情報とのうち少なくとも一つを利用して、電子機器１２０に係わる認証処理を行う。認証処理は、保存部２０７に前もって保存された電子機器１２０に係わるユーザ情報、または電子機器１２０についての情報と、受信された情報とを比較して行う。認証処理は、コンテンツに係わるシームレス再生を許容するか否かに係わる認証処理を意味する。認証処理結果がＯＫであるならば、プロセッサ２１０は、通信部２０８を介して受信されたデータに基づいて、コンテンツ・プロバイダから、前記コンテンツを受信する（Ｓ１６０３）。しかし、認証処理結果がＮＯＫであるならば、プロセッサ２１０は、コンテンツのシームレス再生を行わない。
【０１９２】
段階Ｓ１６０３でのコンテンツ受信は、図１６Ｂに図示されたフローチャートのように行われる。図１６Ｂは、コンテンツ・プロバイダからコンテンツを受信する過程に係わる詳細なフローチャートである。
【０１９３】
図１６Ｂを参照すれば、プロセッサ２１０は、近距離通信部１０１を介して受信されたデータに基づいて、コンテンツ・プロバイダを選択することができるＵＩ画面を、タッチスクリーン２０３にディスプレイする（Ｓ１６０３＿１）。ディスプレイされているＵＩ画面に基づいて、タッチスクリーン２０３を介して、コンテンツ・プロバイダ選択が感知されれば、プロセッサ２１０は、通信部２０８を介して、選択されたコンテンツ・プロバイダに、コンテンツ伝送要請信号を伝送する（Ｓ１６０３＿２）。これによって、プロセッサ２１０は、通信部２０８を介して、選択されたコンテンツ・プロバイダからコンテンツを受信する（Ｓ１６０３＿３）。
【０１９４】
プロセッサ２１０は、受信されたコンテンツが、映像信号とオーディオ信号が結合された場合、受信されたコンテンツに基づいて、タッチスクリーン２０３及びオーディオ出力部２０６を介して、コンテンツに係わるシームレス再生を行う（Ｓ１６０４）。受信されたコンテンツが映像信号で構成される場合、プロセッサ２１０は、受信されたコンテンツをタッチスクリーン２０３を介して再生する。受信されたコンテンツは、段階Ｓ１６０２で受信されたデータを利用して、シームレス再生される。
【０１９５】
前述の段階Ｓ１６０２以後の動作は、携帯端末１００のユーザ入力部２０１、タッチスクリーン２０３、センサ２０２またはオーディオ入力部２０５を介して入力されるコンテンツ再生要請に従って行われる。
【０１９６】
図１７は、本発明の望ましい他の実施形態による、遠隔制御機１１０を使用して実行される動作について説明するフローチャートである。図１７は、プロセッサ３０３によって遂行される。
【０１９７】
プロセッサ３０３は、近距離通信部１１１を介して、携帯端末１００と遠隔制御機１１０との近距離通信発生を感知する（Ｓ１７０１）。プロセッサ３０３は、無線通信部３０２を介して、電子機器１２０によって再生されているコンテンツを再生するために、携帯端末１００によって必要とされるデータを、電子機器１２０から受信する（Ｓ１７０２）。
【０１９８】
電子機器１２０からの必要なデータ受信は、図１８に図示された動作によって行われる。図１８は、図１７の電子機器１２０からデータを受信する動作について説明する詳細なフローチャートである。
【０１９９】
図１８を参照すれば、プロセッサ３０３は、近距離通信部１１１を介して、前述の携帯端末１００と遠隔制御機１２０との近距離通信発生が感知されれば、無線通信部３０２を介して、電子機器１２０にデータ要請信号を伝送する（Ｓ１８０１）。これによって、プロセッサ３０３は、無線通信部３０２を介して、電子機器１２０からデータを受信する（Ｓ１８０２）。受信されたデータは、前記データ要請信号に係わる応答信号である。
【０２００】
図１７で、プロセッサ３０３は、無線通信部３０２を介して、電子機器１２０からコンテンツ再生に必要なデータを受信した後、近距離通信部１１１を介して、前記受信されたデータを携帯端末１００に伝送する（Ｓ１７０３）。
【０２０１】
図１９は、本発明の望ましい他の実施形態による電子機器１２０のフローチャートである。図１９は、プロセッサ４０５によって動作する。
【０２０２】
電子機器１２０は、コンテンツを再生する（Ｓ１９０１）。段階Ｓ１９０２で、プロセッサ４０５は、電子機器１２０によって再生されているコンテンツのシームレス再生を、携帯端末１００によって行うために、携帯端末１００から、必要なデータ伝送要請信号を受信する。データ伝送要請信号は、無線通信部４０１を介した遠隔制御機１１０と、通信部４０２を介した携帯端末１００とのうち少なくとも一つから受信される。これによって、プロセッサ４０５は、コンテンツを再生するために、携帯端末１００によって必要とされるデータを生成する（Ｓ１９０３）。
【０２０３】
プロセッサ４０５は、生成されたデータを、無線通信部４０１を介して遠隔制御機１１０に伝送したり、通信部４０２を介して携帯端末１００に直接伝送する（Ｓ１９０４）。
【０２０４】
図２０は、本発明の望ましい他の実施形態によるコンテンツ再生方法で、携帯端末１００、遠隔制御機１１０及び電子機器１２０の間の動作フローチャートの一例である。図２０は、携帯端末１００と遠隔制御機１１０とのＮＦＣ接触が発生することに基づいて、電子機器１２０によって再生されているコンテンツを、携帯端末１００によってシームレス再生するとき、遠隔制御機１１０が、電子機器１２０にデータ要請を伝送する場合である。以下、フローチャートは、説明の便宜のために、各動作の主体を、携帯端末１００、遠隔制御機１１０及び電子機器１２０として説明するが、図２、図３及び図４に図示された携帯端末１００、遠隔制御機１１０及び電子機器１２０に含まれた各構成要素が利用されると理解されなければならないのである。
【０２０５】
図２０を参照すれば、電子機器１２０によって、コンテンツを再生しているとき（２００１）、携帯端末１００と遠隔制御機１１０との間にＮＦＣ接触発生が感知されれば（Ｓ２００２）、遠隔制御機１１０は、電子機器１２０に、携帯端末１００についての情報を伝送する（Ｓ２００３）。電子機器１２０に伝送される携帯端末１００についての情報は、ＮＦＣ接触に基づいて、携帯端末１００から遠隔制御機１１０に伝送された情報である。携帯端末１００についての情報は、電子機器１２０が、携帯端末１００に情報を伝送するために必要な情報である。携帯端末１００についての情報は、例えば、携帯端末１００によって支援される通信プロトコルに係わる情報（例えば、ワイファイ・ダイレクト、ブルートゥースなど）、及び携帯端末１００と通信チャネルを設定するために使用される携帯端末１００の識別情報を含んでもよい。
【０２０６】
電子機器１２０は、受信された携帯端末１００についての情報を利用して、再生されているコンテンツを、携帯端末１００に伝送する（Ｓ２００４）。これによって、携帯端末１００は、コンテンツのシームレス再生を行う（Ｓ２００５）。段階Ｓ２００４で、電子機器１２０から携帯端末１００にコンテンツを伝送するために、電子機器１２０は、携帯端末１００についての情報を利用して、携帯端末１００と電子機器１２０との通信チャネルを設定することができる。
【０２０７】
図２１は、本発明の望ましい他の実施形態によるコンテンツ再生方法で、携帯端末１００、遠隔制御機１１０、電子機器１２０及びサーバ１３０の間の動作フローチャートの一例である。図２１は、電子機器１２０によって再生されているコンテンツのシームレス再生を行うために、携帯端末１００によって必要とされるデータを、電子機器１２０から携帯端末１００に伝送する場合である。以下、フローチャートは、説明の便宜のために、各動作の主体を、携帯端末１００、遠隔制御機１１０及び電子機器１２０として説明するが、図２、図３及び図４に図示された携帯端末１００、遠隔制御機１１０及び電子機器１２０に含まれた各構成要素が利用されると理解されなければならないのである。
【０２０８】
図２１で、段階２１０１ないし段階２１０３は、図２０の段階２００１ないし段階２００３と同一であるので、以下、説明を省略する。
【０２０９】
段階２１０４で、電子機器１２０は、再生されているコンテンツをシームレス再生するために、携帯端末１００によって必要とされるデータを生成する。次に、電子機器１２０は、生成されたデータを、段階２１０３で受信した携帯端末１００についての情報に基づいて、携帯端末１００に伝送する（Ｓ２１０５）。電子機器１２０は、生成されたデータを携帯端末１００に伝送するために、前述の段階Ｓ２００３で説明したように、携帯端末１００と通信チャネルを設定する。
【０２１０】
携帯端末１００は、受信されたデータを分析し（Ｓ２１０６）、サーバ１３０からコンテンツを受信すると決定すれば、携帯端末１００は、サーバ１３０にコンテンツ要請信号を伝送する（Ｓ２１０７）。このために、携帯端末１００は、サーバ１３０と通信チャネルを設定することができる。サーバ１３０と通信チャネルを設定するために、携帯端末１００は、電子機器１２０から受信されたデータに含まれたコンテンツ・プロバイダ情報を利用することができる。携帯端末１００は、コンテンツ・プロバイダ情報を利用して、サーバ１３０と自動的に通信チャネルを設定することができる。しかし、携帯端末１００のユーザに、サーバ１３０との通信チャネル設定に係わる確認（confirm）をした後、通信チャネルを設定したり、あるいはコンテンツ・プロバイダ情報に基づいた携帯端末１００のユーザの入力情報を利用して、通信チャネルを設定することができる。
【０２１１】
携帯端末１００とサーバ１３０との間に設定された通信チャネルを介して、サーバ１３０からコンテンツが受信されれば（Ｓ２１０８）、携帯端末１００は、受信されたコンテンツを再生する（Ｓ２１０９）。
【０２１２】
図２２は、本発明の望ましい他の実施形態によるコンテンツ再生方法で、携帯端末１００、遠隔制御機１１０及び電子機器１２０の間の動作フローチャートの一例である。以下、フローチャートは、説明の便宜のために、各動作の主体を、携帯端末１００、遠隔制御機１１０及び電子機器１２０として説明するが、図２、図３及び図４に図示された携帯端末１００、遠隔制御機１１０及び電子機器１２０に含まれた各構成要素が利用されると理解されなければならないのである。
【０２１３】
図２２を参照すれば、電子機器１２０によってコンテンツを再生しているとき（Ｓ２２０１）、携帯端末１００と遠隔制御機１１０とのＮＦＣ接触が発生すれば（Ｓ２２０２）、遠隔制御機１１０が、電子機器１２０についての情報を携帯端末１００に伝送する（Ｓ２２０３）。携帯端末１００が、電子機器１２０にコンテンツに係わる要請信号を伝送すれば、携帯端末１００は、電子機器１２０からコンテンツを受信し、受信されたコンテンツを再生する（Ｓ２２０４〜Ｓ２２０６）。段階Ｓ２２０４で、携帯端末１００は、電子機器１２０についての情報を利用して、電子機器１２０と通信チャネルを設定した後、前述のコンテンツに係わる要請信号を、電子機器１２０に伝送することができる。
【０２１４】
図２３は、本発明の望ましいさらに他の実施形態によるコンテンツ再生方法のフローチャートである。図２３は、オンライン・ショッピングサイト基盤のコンテンツをシームレス再生する場合である。図２３は、電子機器１２０によって、商品に係わるオンライン・ショッピングに係わるウェブ・ブラウジング（web  browsing）を実行した場合である。
【０２１５】
図２３を参照すれば、遠隔制御機１１０による制御信号によって、電子機器１２０によって、オンライン・ショッピングに係わるブラウジング（browsing）を実行され（Ｓ２３０１）、選択されたアイテムに係わる購買を決定した後（Ｓ２３０２）、段階Ｓ２３０３で、携帯端末１００と遠隔制御機１１０との間にＮＦＣ接触が発生すれば（Ｓ２３０４）、携帯端末１００と電子機器１２０との間に通信チャネルが設定される（Ｓ２３０５）。
【０２１６】
電子機器１２０は、現在ディスプレイされている購買決定画面からディスプレイするために、携帯端末１００によって必要とされる情報を生成する（Ｓ２３０６）。電子機器１２０によって生成された情報は、オンライン・ショッピングサイト位置情報（例えば、ＵＲＬ（uniform  resource  locator）情報）、前述の購買決定画面情報（例えば、電子機器１２０によってディスプレイされたウェブページに係わる識別情報など）、及びオンライン・ショッピングサイト接続情報（例えば、ユーザのログイン情報及びパスワード情報）のうち少なくとも一つを含んでもよいが、前述の情報は、それらに制限されるものではない。
【０２１７】
電子機器１２０は、生成された情報を携帯端末１００に伝送する（Ｓ２３０７）。携帯端末１００は、受信された情報を利用して、サーバ１３０に情報に係わる要請を伝送する（Ｓ２３０８）。段階Ｓ２３０８で、携帯端末１００は、受信された情報を利用して、サーバ１３０と通信チャネルを設定する。このとき、利用される受信された情報は、オンライン・ショッピングサイト位置情報と、オンライン・ショッピングサイト接続情報とを含んでもよいが、該情報は、それらに制限されるものではない。サーバ１３０は、オンライン・ショッピングサイトを運用するサーバであって仮想のサーバである。
【０２１８】
通信チャネルが設定された後、携帯端末１００からサーバ１３０に伝送される要請信号は、少なくとも前述の購買決定画面情報を含んでもよい。
【０２１９】
サーバ１３０は、受信された情報要請信号に応答して、携帯端末１００に情報を伝送する（Ｓ２３０９）。これによって、携帯端末１００は、購買決定画面からディスプレイする。
【０２２０】
携帯端末１００のユーザから決済情報が入力されれば（Ｓ２３１０）、携帯端末１００は、入力された決済情報をサーバ１３０に伝送する（Ｓ２３１１）。送信された情報によって購買が完了すれば、サーバ１３０は、購買完了メッセージを携帯端末１００に伝送する（Ｓ２３１２）。
【０２２１】
図２３は、携帯端末１００とサーバ１３０とが直接接続して決済情報を伝送する場合である。従って、電子機器１２０に保存された決済関連ユーザ情報がなく、携帯端末１００にだけ決済関連ユーザ情報が保存されているとき、ユーザは、携帯端末１００を利用して決済関連情報を容易に入力することができる。
【０２２２】
また、図２３は、決済情報を、電子機器１２０を介してサーバ１３０に伝送させるように変形されもする。かような場合、電子機器１２０は、段階Ｓ２３０６で、前述の購買決定画面情報のみを生成し、段階Ｓ２３０７で、購買決定画面情報を携帯端末１００に伝送することができる。かような場合、購買完了メッセージは、電子機器１２０を介して携帯端末１００に伝送されもする。このとき、電子機器１２０は、携帯端末１００にディスプレイされている画面と同期化された画面をディスプレイすることができるが、ディスプレイせずに、購買完了メッセージのみ伝送することができる。
【０２２３】
また、図２３は、携帯端末１００と遠隔制御機１１０とのＮＦＣ接触が発生した後、携帯端末１００と電子機器１２０との間に直接通信チャネルが設定される例である。しかし、遠隔制御機１１０を介して、携帯端末１００と電子機器１２０との通信チャネルが設定されるように変形されもする。かような場合に、前述の電子機器１２０によって生成された情報は、遠隔制御機１１０を介して、電子機器１２０から携帯端末１００に伝送される。
【０２２４】
また、図２３は、購買が決定された後、携帯端末１００と遠隔制御機１１０との間にＮＦＣ接触が発生した場合や、オンラインショッピングのための任意のブラウジング過程で、ＮＦＣ接続が発生した場合にも、図２３のフローチャートを適用することができる。例えば、購買商品選択中に、前述のＮＦＣ接触が発生すれば、購買商品選択画面が、携帯端末１００によってディスプレイされるように、電子機器１２０は、携帯端末１００で必要な情報を伝送することができる。
【０２２５】
また、図２３は、携帯端末１００によって、商品購買のためのブラウジングを行っているとき、携帯端末１００と遠隔制御機１１０とのＮＦＣ接触が発生することにより、電子機器１２０によって、商品購買のためのブラウジングを続けて実行するように変形されもする。
【０２２６】
図２４は、本発明の望ましいさらに他の実施形態による情報出力方法のフローチャートである。出力される情報によって、図２４は、コンテンツ再生方法のフローチャートと見なされもする。例えば、外部機器２４１０がカメラであり、静止画または動画を出力しているとき、図２４は、コンテンツ再生方法のフローチャートと見なされもする。図２４は、外部機器２４１０によって出力されている情報を、電子機器１２０にシームレス出力する場合である。
【０２２７】
図２４に図示された外部機器２４１０は、詳細な説明の初めで言及した電子機器１２０の周辺機器であり、通信可能な周辺機器及び／または通信可能なappcessoryを含んでもよい。外部機器２４１０は、電子機器１２０によって実行可能なアプリケーションを基に動作が制御される機器を含んでもよいが、外部機器２４１０は、それらに制限されるものではない。
【０２２８】
段階Ｓ２４１１で、外部機器２４１０によって情報が出力される。このとき、出力される情報は、外部機器２４１０の機能に基づいて決定されもする。例えば、外部機器２４１０が、野外及び室内の運動測定機であるとき、出力される情報は、例えば、位置情報、速度情報、カロリー消耗量情報及びユーザについての情報のうち、少なくとも１つの情報を含んでもよいが、出力される情報は、それらに制限されるものではない。
【０２２９】
前述のような情報が出力されているとき、外部機器２４１０と遠隔制御機１１０との間にＮＦＣ接触が発生すれば（Ｓ２４１２）、外部機器２４１０と電子機器１２０との間に通信チャネルが設定される（Ｓ２４１３）。通信チャネルは、ＮＦＣ接触が発生するとき、遠隔制御機１１０から外部機器２４１０に伝送された電子機器１２０についての情報を利用して設定されもする。電子機器１２０についての情報は、電子機器１２０の通信プロトコルについての情報、及び電子機器１２０の識別情報を含んでもよい。
【０２３０】
遠隔制御機１１０は、保存していた電子機器１２０についての情報を、外部機器２４１０に伝送したり、あるいはＮＦＣ接触が発生された後、電子機器１２０に情報を要請し、電子機器１２０から受信された情報を外部機器２４１０に伝送することができる。
【０２３１】
しかし、ＮＦＣ接触が発生するとき、遠隔制御機１１０は、外部機器２４１０についての情報を外部機器２４１０から受信し、この外部機器２４１０についての情報を、電子機器１２０に伝送し、電子機器１２０によって外部機器２４１０と電子機器１２０との通信チャネルが設定される。このとき、電子機器１２０に伝送される外部機器２４１０についての情報は、通信チャネルを設定するために必要な情報であり、例えば、通信プロトコル情報、及び外部機器２４１０に係わる識別情報を含んでもよいが、前述の情報は、それらに制限されるものではない。
【０２３２】
電子機器１２０は、外部機器２４１０と通信チャネルが設定されることによって、外部機器２４１０から受信される外部機器２４１０についての情報を利用して、電子機器１２０に、外部機器２４１０に係わるアプリケーション（ＡＰＰ）が保存されているか否かを判断する（Ｓ２４１４）。外部機器２４１０についての情報は、外部機器２４１０に係わるアプリケーションを実行するために必要な情報を含んでもよい。例えば、外部機器２４１０に係わる識別情報や、外部機器２４１０に係わるアプリケーションの識別情報などを含んでもよいが、それらに制限されるものではない。外部機器２４１０に係わるアプリケーションは、外部機器２４１０との連結を基に、外部機器２４１０の動作を制御することができるアプリケーションである。
【０２３３】
外部機器２４１０に係わる識別情報は、外部機器２４１０のモデル名、外部機器２４１０のメーカー情報、外部機器２４１０のバージョン情報のうち少なくとも一つを含んでもよいが、前述の識別情報は、それらに制限されるものではない。例えば、外部機器２４１０に係わる識別情報は、外部機器２４１０の製造日時情報、及び外部機器２４１０の運用体制についての情報のうち少なくとも１つの情報が含まれる。
【０２３４】
段階Ｓ２４１４で、電子機器１２０の判断結果、外部機器２４１０に係わるアプリケーションが、電子機器１２０に保存されていれば、電子機器１２０は、自動的に関連アプリケーションを実行する（Ｓ２４１５）。
【０２３５】
これによって、電子機器１２０は、外部機器２４１０に、該情報に係わる要請を伝送し（Ｓ２４１６）、外部機器２４１０は、現在出力されている情報を、電子機器１２０に伝送する（Ｓ２４１７）。電子機器１２０は、受信される情報を出力する（Ｓ２４１８）。従って、電子機器１２０は、外部機器２４１０によって出力されている情報をシームレス出力することができる。
【０２３６】
段階Ｓ２４１４で、電子機器１２０の判断結果、電子機器１２０に、外部機器２４１０に係わるアプリケーションが保存されていなければ、電子機器１２０は、前述の外部機器２４１０に係わる識別情報を利用して、サーバ１３０から、外部機器２４１０に係わるアプリケーションをダウンロードし、前述の段階Ｓ２４１５ないし段階Ｓ２４１８を遂行することができる。
【０２３７】
このとき、サーバ１３０は、外部機器２４１０に係わるアプリケーションが複数個である場合、複数個のアプリケーションについての情報を、電子機器１２０に提供する。電子機器１２０は、複数個のアプリケーションについての情報をディスプレイする。ユーザは、遠隔制御機１１０を利用して、複数個のアプリケーションについての情報のうち、所望するアプリケーション情報を選択する制御信号を、電子機器１２０に伝送することができる。
【０２３８】
これに応答して、電子機器１２０は、選択されたアプリケーションについての情報を、サーバ１３０に伝送し、サーバ１３０から選択されたアプリケーションをダウンロードして実行させることができる。これによって、電子機器１２０は、前述の段階Ｓ２４１５ないし段階Ｓ２４１８を遂行することができる。
【０２３９】
前述の段階Ｓ２４１８で、電子機器１２０は、外部機器２４１０から受信された情報でもって、電子機器１２０に保存された外部機器２４１０についての情報をアップデートすることができる。このとき、外部機器２４１０についての情報は、アプリケーション実行後、外部機器２４１０によって発生したり、出力された情報である。
【０２４０】
もし外部機器２４１０が、カメラのように、獲得された情報を保存する機能を有する機器である場合、段階Ｓ２４１１は、外部機器２４１０によって情報を獲得して保存する段階に変更されもする。このように、外部機器２４１０によって情報を獲得して保存しているとき、遠隔制御機１１０との前述のＮＦＣ接触が発生すれば、外部機器２４１０によって獲得されて保存された情報が、電子機器１２０に伝送される。これによって、電子機器１２０は、外部機器２４１０によって獲得されて保存された情報でもって、電子機器１２０に保存された外部機器２４１０についての情報をアップデートすることができる。
【０２４１】
段階Ｓ２４１７で、外部機器２４１０から電子機器１２０に伝送される情報は、外部機器２４１０によって遂行される機能によって決定されるので、外部機器２４１０の機能モニタリングについての情報であったり、外部機器２４１０に保存された情報であるが、本発明のコンセプトは、それらに制限されるものではない。もし段階Ｓ２４１７で、外部機器２４１０から電子機器１２０に伝送される情報が、外部機器２４１０に保存された情報である場合、段階Ｓ２４１１は省略されもする。
【０２４２】
本発明の実施形態によるコンテンツ再生方法を、コンピュータで具現する方法を遂行させる命令語を含む一つ以上のプログラムは、コンピュータで読み取り可能な記録媒体に、コンピュータで読み取り可能なコードとして記録されることが可能である。コンピュータで読み取り可能な記録媒体は、コンピュータ・システムによって読み取り可能なデータが保存される全ての種類の保存装置を含む。コンピュータで読み取り可能な記録媒体の例としては、ＲＯＭ（read-only  memory）、ＲＡＭ（random-access  memory）、ＣＤ（compact  disc）−ＲＯＭ、磁気テープ、フロッピー（登録商標）ディスク、光データ保存装置などがある。またコンピュータで読み取り可能な記録媒体は、ネットワークに連結されたコンピュータ・システムに分散され、分散方式で、コンピュータで読み取り可能なコードとして保存されて実行される。
【０２４３】
以上、本発明についてその望ましい実施形態を中心に説明した。本発明が属する技術分野で当業者であるならば、本発明が本発明の本質的な特性から外れない範囲で変形された形態に具現されるということを理解することができるであろう。従って、開示された実施形態は、限定的な観点ではなく、説明的な観点から考慮されなければならない。本発明の範囲は、前述の説明ではなく、特許請求の範囲に示されており、それと同等な範囲内にいる全ての差異は、本発明に含まれたものであると解釈されなければならないのである。
【産業上の利用可能性】
【０２４４】
本発明のコンテンツ再生方法及びそのシステム、並びに記録媒体は、例えば、移動通信関連の技術分野に効果的に適用可能である。
【符号の説明】
【０２４５】
１００    携帯端末
１０１，１１１  近距離通信部
１１０    遠隔制御部
１２０    電子機器
１３０    サーバ
１５０    スマートフォン
１５１，１６１  ＮＦＣ基盤通信モジュール
１６０    リモコン
１６２    ＮＦＣ接触
１７０    ＴＶ
１８０    サーバ
２０１，３０１  ユーザ入力部
２０２    センシング部
２０３    タッチスクリーン
２０４    カメラ
２０５    オーディオ入力部
２０６    オーディオ出力部
２０７，３０４，４０４  保存器
２０８，４０２  通信部
２０９    ポート
２１０，３０３，４０５  プロセッサ
２１１    電源部
３０２，４０１  無線通信部
４０３    放送信号受信部
４０６    映像処理部
４０７    ディスプレイ部
４０８    音声処理部
４０９    音声出力部
４１０    音声入力部
２４１０  外部機器
【図１Ａ】
2013218690.tif 000003
【図１Ｂ】
2013218690.tif 000004
【図２】
2013218690.tif 000005
【図３】
2013218690.tif 000006
【図４】
2013218690.tif 000007
【図５】
2013218690.tif 000008
【図６】
2013218690.tif 000009
【図７】
2013218690.tif 000010
【図８】
2013218690.tif 000011
【図９】
2013218690.tif 000012
【図１０】
2013218690.tif 000013
【図１１】
2013218690.tif 000014
【図１２】
2013218690.tif 000015
【図１３】
2013218690.tif 000016
【図１４】
2013218690.tif 000017
【図１５】
2013218690.tif 000018
【図１６Ａ】
2013218690.tif 000019
【図１６Ｂ】
2013218690.tif 000020
【図１７】
2013218690.tif 000021
【図１８】
2013218690.tif 000022
【図１９】
2013218690.tif 000023
【図２０】
2013218690.tif 000024
【図２１】
2013218690.tif 000025
【図２２】
2013218690.tif 000026
【図２３】
2013218690.tif 000027
【図２４】
2013218690.tif 000028